(57)【要約】  本開示の一態様は、非サービング基地局の近くのＵＥ近接検出への取り組みに関する。特定のクラスの基地局は、近傍のＵＥの存在に基づいてアクティブおよび非アクティブになり得る。非アクティブ状態において、これらの基地局は、シグナリングを用いずまたは限られたシグナリングだけを用い得る。このような基地局を用いるネットワークは、このような基地局が近傍のＵＥを検出または発見できるように、本明細書に開示のディスカバリ機構を使用し得る。本開示によれば、ＵＥは、最大電力またはリスニング基地局によって決定され得る別の信号強度で近接ＳＲＳを送信し得る。リスニング基地局は、この信号を使用してＵＥの近接を決定し、自身のシグナリングのいくつかの態様をアクティブにする、非アクティブのままでいる、あるいは限られたシグナリングまたはさらなるＵＥ検出という代替の状態へと進むなど、適切な処置をとり得る。
2016536847.tif 000002
【特許請求の範囲】
【請求項１】
ユーザ機器（ＵＥ）のワイヤレス通信の方法であって、
少なくとも１つの所定の送信電力によりサウンディングレファレンス信号（ＳＲＳ）を送信するようにとの要求を受信することと、
前記要求に基づいて前記少なくとも１つの所定の送信電力で前記ＳＲＳを送信することと、
を備える方法。
【請求項２】
前記少なくとも１つの所定の送信電力は、最大電力にある１つの所定の送信電力である、請求項１に記載の方法。
【請求項３】
ノードから前記少なくとも１つの所定の送信電力を示す設定を受信することをさらに備える、請求項１に記載の方法。
【請求項４】
前記ＳＲＳは、ノードによって、前記ＵＥと前記ノードとの間の近接検出のために受信される、請求項１に記載の方法。
【請求項５】
前記ＳＲＳの周波数ホップのサイズ、帯域幅、コーム、またはサイクリックシフトのうちの少なくとも１つは、固定されている、請求項１に記載の方法。
【請求項６】
ノードから前記ＳＲＳについての周波数ホップのサイズ、帯域幅、コーム、またはサイクリックシフトのうちの少なくとも１つを示す設定を受信することをさらに備える、請求項１に記載の方法。
【請求項７】
前記要求は、周期的なＳＲＳ送信に関するものであり、前記ＳＲＳは、前記周期的なＳＲＳ送信に関する前記要求に基づいて周期的に前記少なくとも１つの所定の送信電力で送信される、請求項１に記載の方法。
【請求項８】
所定の送信電力を用いずに第２のＳＲＳを送信するようにとの要求を受信することと、
前記第２のＳＲＳの送信が前記少なくとも１つの所定の送信電力によるＳＲＳの送信と同じキャリア上の同じサブフレームを占めると決定することと、
前記少なくとも１つの所定の送信電力により前記ＳＲＳを送信するために前記サブフレームにおける前記第２のＳＲＳの送信を差し控えることと、
をさらに備える、請求項７に記載の方法。
【請求項９】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの所定の送信電力で送信される、請求項１に記載の方法。
【請求項１０】
第２のＳＲＳを送信することをさらに備え、ここにおいて、前記少なくとも１つの所定の送信電力をもつ前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１に記載の方法。
【請求項１１】
第２のＳＲＳを送信することをさらに備え、ここにおいて、前記少なくとも１つの所定の送信電力をもつ前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１に記載の方法。
【請求項１２】
第２のＳＲＳを送信することをさらに備え、ここにおいて、前記少なくとも１つの所定の送信電力をもつ前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１に記載の方法。
【請求項１３】
前記ＳＲＳは、前記ＵＥにユニークなＵＥ固有シーケンスで送信される、請求項１に記載の方法。
【請求項１４】
前記ＵＥは、ＵＥグループに関連付けられ、前記ＳＲＳは、前記ＵＥグループにユニークなグループ固有シーケンスで送信される、請求項１に記載の方法。
【請求項１５】
前記要求は、電力オフセットを含み、前記方法は、前記電力オフセットと、最大送信電力または前記ＵＥおよびノードの両方にとって既知の送信電力の少なくとも一方とに基づき、前記少なくとも１つの所定の送信電力を決定すること、をさらに備える、請求項１に記載の方法。
【請求項１６】
ワイヤレス通信のための装置であって、当該装置はユーザ機器（ＵＥ）であり、
メモリと、
前記メモリに接続された少なくとも１つのプロセッサであって、
少なくとも１つの所定の送信電力でサウンディングレファレンス信号（ＳＲＳ）を送信するようにとの要求を受信することと、
前記要求に基づいて前記少なくとも１つの所定の送信電力で前記ＳＲＳを送信することと、
を行うように構成された少なくとも１つのプロセッサと、
を備える装置。
【請求項１７】
前記少なくとも１つの所定の送信電力は、最大電力にある１つの所定の送信電力である、請求項１６に記載の装置。
【請求項１８】
前記少なくとも１つのプロセッサは、ノードから前記少なくとも１つの所定の送信電力を示す設定を受信するように構成される、請求項１６に記載の装置。
【請求項１９】
前記ＳＲＳは、ノードによって、前記ＵＥと前記ノードとの間の近接検出のために受信される、請求項１６に記載の装置。
【請求項２０】
前記ＳＲＳの周波数ホップのサイズ、帯域幅、コーム、またはサイクリックシフトのうちの少なくとも１つは、固定されている、請求項１６に記載の装置。
【請求項２１】
前記少なくとも１つのプロセッサは、ノードから前記ＳＲＳについての周波数ホップのサイズ、帯域幅、コーム、またはサイクリックシフトのうちの少なくとも１つを示す設定を受信するように構成される、請求項１６に記載の装置。
【請求項２２】
前記要求は、周期的なＳＲＳ送信に関するものであり、前記ＳＲＳは、前記周期的なＳＲＳ送信に関する前記要求に基づいて周期的に前記少なくとも１つの所定の送信電力で送信される、請求項１６に記載の装置。
【請求項２３】
前記少なくとも１つのプロセッサは、
所定の送信電力を用いずに第２のＳＲＳを送信するようにとの要求を受信することと、
前記第２のＳＲＳの送信が前記少なくとも１つの所定の送信電力でのＳＲＳの送信と同じキャリア上の同じサブフレームを占めると決定することと、
前記少なくとも１つの所定の送信電力により前記ＳＲＳを送信するために前記サブフレームにおける前記第２のＳＲＳの送信を差し控えることと
を行うように構成される、請求項２２に記載の装置。
【請求項２４】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの所定の送信電力で送信される、請求項１６に記載の装置。
【請求項２５】
前記少なくとも１つのプロセッサは、第２のＳＲＳを送信するように構成され、前記少なくとも１つの所定の送信電力での前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１６に記載の装置。
【請求項２６】
前記少なくとも１つのプロセッサは、第２のＳＲＳを送信するように構成され、前記少なくとも１つの所定の送信電力での前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１６に記載の装置。
【請求項２７】
前記少なくとも１つのプロセッサは、第２のＳＲＳを送信するように構成され、前記少なくとも１つの所定の送信電力での前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１６に記載の装置。
【請求項２８】
前記ＳＲＳは、前記ＵＥにユニークなＵＥ固有シーケンスで送信される、請求項１６に記載の装置。
【請求項２９】
ワイヤレス通信のための装置であって、当該装置はユーザ機器（ＵＥ）であり、
少なくとも１つの所定の送信電力でサウンディングレファレンス信号（ＳＲＳ）を送信するようにとの要求を受信するための手段と、
前記要求に基づいて前記少なくとも１つの所定の送信電力で前記ＳＲＳを送信するための手段と、
を備える装置。
【請求項３０】
コンピュータ可読媒体上に記憶されたユーザ機器（ＵＥ）のためのコンピュータプログラム製品であって、少なくとも１つのプロセッサにおいて実行されたときに該少なくとも１つのプロセッサに
少なくとも１つの所定の送信電力でサウンディングレファレンス信号（ＳＲＳ）を送信するようにとの要求を受信することと、
前記要求に基づいて前記少なくとも１つの所定の送信電力で前記ＳＲＳを送信することと、
を行わせるコードを備える、ユーザ機器（ＵＥ）のためのコンピュータプログラム製品。
【発明の詳細な説明】
【技術分野】
【０００１】
関連出願の相互参照
[0001]本出願は、２０１４年７月２９日に出願された「ＬＴＥにおけるサウンディングレファレンス信号および近接検出（SOUNDING REFERENCE SIGNALS AND PROXIMITY DETECTION IN LTE）」という名称の米国特許第１４／４４６，３２０号および２０１３年１０月２日に出願された「ＬＴＥにおけるサウンディングレファレンス信号および近接検出（SOUNDING REFERENCE SIGNALS AND PROXIMITY DETECTION IN LTE）」という名称の米国特許仮出願第６１／８８６，０３０号の利益を主張し、これらの特許出願は、この全体がここでの言及によって本明細書に明示的に援用される。
【背景技術】
【０００２】
[0002]本開示は、広くには、通信システムに関し、より詳しくは、ロング・ターム・エボリューション（ＬＴＥ）におけるサウンディングレファレンス信号（ＳＲＳ）および近接検出に関する。
【０００３】
[0003]ワイヤレス通信システムが、電話、映像、データ、メッセージング、および放送、などの種々の電気通信サービスを提供するために広く展開されている。例示的なワイヤレス通信システムは、利用可能なシステムリソース（例えば、帯域幅、送信電力）を共有することによって多数のユーザとの通信をサポートすることができる多重アクセス技術を採用し得る。このような多重アクセス技術の例は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、単一キャリア周波数分割多重アクセス（ＳＣ−ＦＤＭＡ）システム、および時分割同期符号分割多重アクセス（ＴＤ−ＳＣＤＭＡ）システムを含む。
【０００４】
[0004]これらの多重アクセス技術は、地方、国家、地域、ならびに世界のレベルにおいて様々なワイヤレスデバイスの通信を可能にする共通のプロトコルを提供するために種々の電気通信規格において採用されている。新興の電気通信規格の一例が、ＬＴＥである。ＬＴＥは、第３世代パートナーシップ計画（３ＧＰＰ（登録商標））によって公表されたユニバーサル移動体通信システム（ＵＭＴＳ）モバイル規格の一連の改良である。ＬＴＥトは、ダウンリンク（ＤＬ）におけるＯＦＤＭＡ、アップリンク（ＵＬ）におけるＳＣ−ＦＤＭＡ、および多入力多出力（ＭＩＭＯ）アンテナ技術を使用し、スペクトル効率の改善、コストの削減、サービスの改善、新たなスペクトルの利用、および他のオープンスタンダードとのより良好な統合によって、モバイル・ブロードバンド・インターネット・アクセスをより良好にサポートするように設計されている。しかしながら、モバイル・ブロードバンド・アクセスへの需要が増加を続けているがゆえに、ＬＴＥ技術のさらなる改善について、ニーズが存在している。好ましくは、これらの改善は、他の多重アクセス技術ならびにこれらの技術を採用する電気通信規格にも適用可能でなければならない。
【発明の概要】
【０００５】
[0005]本開示の一態様は、非サービング基地局の近くのＵＥ近接検出への取り組みに関する。特定のクラスの基地局は、近傍のＵＥの存在に基づいてアクティブおよび非アクティブになり得る。非アクティブ状態において、これらの基地局は、シグナリングを用いずまたは限られたシグナリングだけを用い得る。このような基地局を用いるネットワークは、このような基地局が近傍のＵＥを検出または発見できるように、本明細書に開示のディスカバリ機構を使用し得る。本開示によれば、ＵＥは、自身のサービング基地局から（あるいは、他の機構を介して）所定の送信電力で近接ＳＲＳを送信するようにとの要求を受信し得る。ＵＥは、最大電力で、またはリスニング基地局によって決定され得る別の信号強度で、近接ＳＲＳを送信し得る。リスニング基地局は、この信号を使用してＵＥの近接を決定し、自身のシグナリングのいくつかの態様をアクティブにする、非アクティブのままでいる、あるいは限られたシグナリングまたはさらなるＵＥ検出という代替の状態へと進むなど、適切な処置をとり得る。
【０００６】
[0006]本開示の一態様において、方法、コンピュータプログラム製品、および装置が提供される。装置は、ユーザ機器（ＵＥ）であり得る。ＵＥは、少なくとも１つの所定の送信電力でＳＲＳを送信するようにとの要求を受信する。ＵＥは、要求に基づいて、少なくとも１つの所定の送信電力でＳＲＳを送信する。少なくとも１つの所定の送信電力は、最大電力における１つの所定の送信電力であり得る。ＵＥは、ノードから少なくとも１つの所定の送信電力を示す設定（configuration）を受信し得る。ＳＲＳは、ノードによって、ＵＥとノードとの間の近接検出のために受信され得る。ＵＥは、所定の送信電力を用いずに（without a predetermined transmit power）第２のＳＲＳを送信するようにとの要求を受信し得る。ＵＥは、ＳＲＳおよび第２のＳＲＳの両方を送信し得、あるいは第２のＳＲＳの送信を差し控え得る。
【０００７】
[0007]本開示の態様は、送信されたＳＲＳに基づいてアクティブ化および非アクティブ化が可能な基地局を用いる状況に言及しているが、本発明は、これに限られず、ＵＥの近接検出または他の目的であらゆる非サービング基地局とともに使用され得る。
【図面の簡単な説明】
【０００８】
【図１】[0008]図１は、ネットワークアーキテクチャの例を示す図である。
【図２】[0009]図２は、アクセスネットワークの例を示す図である。
【図３】[0010]図３は、ＬＴＥにおけるＤＬフレーム構造の例を示す図である。
【図４】[0011]図４は、ＬＴＥにおけるＵＬフレーム構造の例を示す図である。
【図５】[0012]図５は、ユーザおよび制御プレーンのための無線プロトコルアーキテクチャの例を示す図である。
【図６】[0013]図６は、アクセスネットワークにおける発展型ノードＢおよびユーザ機器の例を示す図である。
【図７】[0014]図７は、ＬＴＥにおけるＵＬフレーム構造の例を示す第２の図である。
【図８】[0015]図８は、ＳＲＳおよび近接検出に関する例示的な方法を説明するための図である。
【図９】[0016]図９は、ワイヤレス通信の方法のフローチャートである。
【図１０】[0017]図１０は、例示的な装置における種々のモジュール／手段／構成要素間のデータの流れを説明する概念的なデータフロー図である。
【図１１】[0018]図１１は、処理システムを用いる装置のハードウェアの実装の例を示す図である。
【発明を実施するための形態】
【０００９】
[0019]添付の図面に関連して以下で述べられる詳細な説明は、種々の構成の説明として意図されており、本明細書に記載の考え方が実現され得る構成を表そうとしたものではない。詳細な説明は、種々の考え方の完全な理解をもたらす目的で、具体的な詳細を含む。しかしながら、これらの考え方が、これらの具体的な詳細を備えることなく実施され得ることは、当業者にとって明らかであろう。いくつかの場合においては、このような考え方を不明瞭にしてしまわないよう、周知の構造およびコンポーネントは、ブロック図の形態で示されている。
【００１０】
[0020]次に、電気通信システムのいくつかの態様が、種々の装置および方法に関して提示される。これらの装置および方法は、種々のブロック、モジュール、コンポーネント、回路、工程、処理、アルゴリズム、など（まとめて「構成要素」と称される）によって、以下の詳細な説明において説明され、添付の図面に示される。これらの構成要素は、電子ハードウェア、コンピュータソフトウェア、またはこれらの任意の組み合わせを使用して実現され得る。このような構成要素がハードウェアとして実現されるか、あるいはソフトウェアとして実現されるかは、個々の用途およびシステム全体に課される設計上の制約事項に依存する。
【００１１】
[0021]例えば、構成要素、または構成要素のいずれかの部分、あるいは構成要素の何らかの組み合わせが、１つ以上のプロセッサを含む「処理システム」により実現され得る。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理素子（ＰＬＤ）、ステートマシン、ゲート論理回路、ディスクリートハードウェア回路、および本開示の各所に記載の種々の機能を実行するように構成された他の適切なハードウェアを含む。処理システム内の１つ以上のプロセッサは、ソフトウェアを実行し得る。ソフトウェアは、ソフトウェア、ファームウェア、ミドルウェア、マイクロコード、またはハードウェア記述言語のいずれとして言及されても、あるいは他の方法で言及されても、インストラクション、インストラクションセット、コード、コード部分、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、ファンクション、などを意味するものと広く解釈されるべきである。
【００１２】
[0022]したがって、１つ以上の例示的な実施形態において、上述の機能は、ハードウェア、ソフトウェア、ファームウェア、またはこれらの任意の組み合わせにて実現され得る。ソフトウェアにて実現される場合、これらの機能は、コンピュータ読取可能な媒体上に１つ以上のインストラクションまたはコードとして保存またはエンコードされ得る。コンピュータ読取可能な媒体は、コンピュータ記憶媒体を含む。記憶媒体は、コンピュータによってアクセスされ得る任意の利用可能な媒体であり得る。これらに限られるわけではないが、例として、このようなコンピュータ読取可能媒体は、ランダムアクセスメモリ（ＲＡＭ）、読み出し専用メモリ（ＲＯＭ）、電気的に消去することができるプログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶装置、あるいは所望のプログラムコードをインストラクションまたはデータ構造の形態で保持または記憶するために使用されるができ、コンピュータによってアクセスされることができる任意の他の媒体を備えることができる。上記の組み合わせもまた、コンピュータ読取可能媒体の範囲内に含まれるべきである。
【００１３】
[0023]図１は、ＬＴＥネットワークアーキテクチャ１００を説明する図である。ＬＴＥネットワークアーキテクチャ１００は、発展型パケット・システム（ＥＰＳ）１００と称され得る。ＥＰＳ１００は、１つ以上のユーザ機器（ＵＥ）１０２と、発展型ＵＭＴＳ地上波無線アクセスネットワーク（Ｅ−ＵＴＲＡＮ）１０４と、発展型パケット・コア（ＥＰＣ）１１０と、オペレータのインターネットプロトコル（ＩＰ）サービス１２２とを含み得る。ＥＰＳは、他のアクセスネットワークとの相互接続が可能であるが、分かり易くするために、これらのエンティティ／インターフェイスは示されていない。図示のとおり、ＥＰＳはパケット交換サービスを提供するが、当業者であれば容易に理解できるとおり、本開示の全体において提示される種々の考え方は、回路交換サービスを提供するネットワークにも拡張され得る。
【００１４】
[0024]Ｅ−ＵＴＲＡＮは、発展型Ｎｏｄｅ  Ｂ（ｅＮＢ）１０６および他のｅＮＢ１０８を含み、マルチキャスト協調制御装置（ＭＣＥ）１２８を含み得る。ｅＮＢ１０６は、ＵＥ１０２へのユーザおよび制御プレーンプロトコル終端を提供する。ｅＮＢ１０６は、バックホール（例えば、Ｘ２インターフェイス）を介して他のｅＮＢ１０８に接続され得る。ＭＣＥ１２８は、発展型マルチメディア・ブロードキャスト・マルチキャスト・サービス（ＭＢＭＳ）（ｅＭＢＭＳ）のために時間／周波数無線リソースを割り当て、ｅＭＢＭＳのための無線設定（例えば、変調および符号化方式（ＭＣＳ））を決定する。ＭＣＥ１２８は、独立したエンティティまたはｅＮＢ１０６の一部であり得る。ｅＮＢ１０６は、基地局、Ｎｏｄｅ  Ｂ、アクセスポイント、ベース・トランシーバ・ステーション、無線基地局、無線トランシーバ、トランシーバ機能、基本サービスセット（ＢＳＳ）、拡張サービスセット（ＥＳＳ）、または何らかの他の適切な用語で呼ばれ得る。ｅＮＢ１０６は、ＵＥ１０２にＥＰＣ１１０へのアクセスポイントを提供する。ＵＥ１０２の例は、携帯電話機、スマートフォン、セッション・イニシエーション・プロトコル（ＳＩＰ）フォン、ラップトップ、携帯情報端末（ＰＤＡ）、衛星無線機、グローバル・ポジショニング・システム、マルチメディアデバイス、ビデオデバイス、デジタル・オーディオ・プレイヤー（例えば、ＭＰ３プレイヤー）、カメラ、ゲーム機、タブレット、または任意の他の同様の機能のデバイスを含む。ＵＥ１０２は、当業者により、移動局、加入者設備、モバイルユニット、加入者ユニット、ワイヤレスユニット、リモートユニット、移動機、ワイヤレスデバイス、ワイヤレス通信デバイス、リモートデバイス、移動加入者設備、アクセス端末、モバイル端末、ワイヤレス端末、リモート端末、ハンドセット、ユーザエージェント、モバイルクライアント、クライアント、または何らかの他の適切な用語で呼ばれ得る。
【００１５】
[0025]ｅＮＢ１０６は、ＥＰＣ１１０へと接続される。ＥＰＣ１１０は、移動管理エンティティ（ＭＭＥ）１１２、ホーム加入者サーバ（ＨＳＳ）１２０、他のＭＭＥ１１４、サービングゲートウェイ１１６、マルチメディア・ブロードキャスト・マルチキャスト・サービス（ＭＢＭＳ）ゲートウェイ１２４、ブロードキャスト・マルチキャスト・サービス・センタ（ＢＭ−ＳＣ）１２６、およびパケット・データ・ネットワーク（ＰＤＮ）ゲートウェイ１１８を含み得る。ＭＭＥ１１２は、ＵＥ１０２とＥＰＣ１１０との間の信号伝達を処理する制御ノードである。一般に、ＭＭＥ１１２は、ベアラ（ｂｅａｒｅｒ）および接続の管理を提供する。すべてのユーザＩＰパケットは、サービングゲートウェイ１１６を通って運ばれ、サービングゲートウェイ１１６自身は、ＰＤＮゲートウェイ１１８に接続されている。ＰＤＮゲートウェイ１１８は、ＵＥ  ＩＰアドレス割り当てならびに他の機能を提供する。ＰＤＮゲートウェイ１１８およびＢＭ−ＳＣ１２６は、ＩＰサービス１２２へと接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスの供給および配信のための機能を提供し得る。ＢＭ−ＳＣ１２６は、コンテンツプロバイダのＭＢＭＳ送信のためのエントリポイントとして機能し得、ＰＬＭＮにおいてＭＢＭＳベアラサービスを許可および開始させるために使用され得、ＭＢＭＳ送信のスケジュールおよび配信に使用され得る。ＭＢＭＳゲートウェイ１２４は、特定のサービスをブロードキャストしているマルチキャストブロードキャスト単一周波数ネットワーク（ＭＢＳＦＮ）に属するｅＮＢ（例えば、１０６、１０８）へとＭＢＭＳトラフィックを分配するために使用され得、セッション管理（開始／停止）およびｅＭＢＭＳ関連の課金情報の収集を担当し得る。
【００１６】
[0026]図２は、ＬＴＥネットワークアーキテクチャにおけるアクセスネットワーク２００の例を示す図である。この例において、アクセスネットワーク２００は、いくつかのセルラー領域（セル）２０２に分割されている。１つ以上のより低い電力クラス（ｌｏｗｅｒ  ｐｏｗｅｒ  ｃｌａｓｓ）のｅＮＢ２０８は、セル２０２のうちの１つ以上と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモート無線ヘッド（ＲＲＨ）であり得る。マクロｅＮＢ２０４の各々が、それぞれのセル２０２に割り当てられ、セル２０２内のすべてのＵＥ２０６のためにＥＰＣ１１０へのアクセスポイントを提供するように構成される。アクセスネットワーク２００のこの例では、中央集中コントローラが存在しないが、代案の構成においては、中央集中コントローラが使用され得る。ｅＮＢ２０４は、無線ベアラ制御、アドミッション制御、モビリティ制御、スケジューリング、セキュリティ、およびサービングゲートウェイ１１６への接続を含むすべての無線関連機能を担う。ｅＮＢは、１つまたは複数（例えば、３つ）のセル（セクタとも称される）をサポートし得る。用語「セル」は、ｅＮＢの最小のカバレッジ領域を指すことができ、かつ／またはｅＮＢサブシステムのサービング（ｓｅｒｖｉｎｇ）は、特定のカバレッジ領域である。さらに、用語「ｅＮＢ」、「基地局」、および「セル」は、本明細書において交換可能に使用され得る。
【００１７】
[0027]アクセスネットワーク２００によって用いられる変調および多重アクセスのスキームは、展開されている特定の電気通信規格に依存して様々であり得る。ＬＴＥアプリケーションにおいては、ＤＬにおいてＯＦＤＭが使用され、ＵＬにおいてＳＣ−ＦＤＭＡが使用され、周波数分割複信（ＦＤＤ）および時分割複信（ＴＤＤ）の両方がサポートされる。当業者であれば以下の詳細な説明から容易に理解できるとおり、本明細書に提示される種々の考え方は、ＬＴＥアプリケーションによく適している。しかしながら、これらの考え方は、他の変調および多重アクセス技術を使用する他の電気通信規格に容易に拡張され得る。例として、これらの考え方は、エボリューション・データ・オプティマイズド（ＥＶ−ＤＯ）またはウルトラ・モバイル・ブロードバンド（ＵＭＢ）に拡張され得る。ＥＶ−ＤＯおよびＵＭＢは、第３世代パートナーシッププロジェクト２（３ＧＰＰ２）によってＣＤＭＡ２０００ファミリの規格の一部として公表された電波インターフェイス規格であり、ＣＤＭＡを用いて移動局にブロードバンド・インターネット・アクセスを提供する。さらに、これらの考え方は、広帯域ＣＤＭＡ（Ｗ−ＣＤＭＡ（登録商標））およびＴＤ−ＳＣＤＭＡなどのＣＤＭＡの他の変種を用いるユニバーサル地上波無線アクセス（ＵＴＲＡ）、ＴＤＭＡを用いるグローバル・システム・フォー・モバイル・コミュニケーションズ（ＧＳＭ（登録商標）、ならびにＯＦＤＭＡを用いる発展型ＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張され得る。ＵＴＲＡ、Ｅ−ＵＴＲＡ、ＵＭＴＳ、ＬＴＥ、およびＧＳＭ（登録商標）は、３ＧＰＰ団体からの文書において説明されている。ＣＤＭＡ２０００およびＵＭＢは、３ＧＰＰ２団体からの文書において説明されている。用いられる実際のワイヤレス通信規格および多重アクセス技術は、具体的な用途およびシステムに課された全体的な設計の制約に依存することになる。
【００１８】
[0028]ｅＮＢ２０４は、ＭＩＭＯ技術をサポートする複数のアンテナを有し得る。ＭＩＭＯ技術の使用により、ｅＮＢ２０４は、空間ドメインを利用して空間多重化、ビームフォーミング、および送信ダイバーシティをサポートすることができる。空間多重化は、同じ周波数において同時に異なるデータストリームを送信するために使用され得る。データストリームは、データレートを高めるために単一のＵＥ２０６に送信されてよく、あるいは全体としてのシステムの能力を高めるために複数のＵＥ２０６に送信され得る。これは、各々のデータストリームを空間的にプリコーディング（すなわち、振幅および位相のスケーリングを適用）し、次いで空間的にプリコーディングされた各々のストリームをＤＬにおいて複数の送信アンテナを通じて送信することによって達成される。空間的にプリコーディングされたデータストリームが、異なる空間シグネチャ（spatial signature）を有してＵＥ２０６に到達することで、各々のＵＥ２０６は、このＵＥ２０６に向けられた１つ以上のデータストリームを復元することができる。ＵＬにおいて、各々のＵＥ２０６が、空間的にプリコーディングされたデータストリームを送信することで、ｅＮＢ２０４は、空間的にプリコーティングされた各々のデータストリームのソースを識別することができる。
【００１９】
[0029]空間多重化は、一般的に、チャネル条件が良好な場合に使用される。チャネル条件があまり良好でない場合、送信エネルギーを１つ以上の方向に集中させるために、ビームフォーミングが使用され得る。これは、複数のアンテナによる送信のためにデータを空間的にプリコーディングすることによって達成され得る。セルの端における良好なカバレッジを達成するために、単一ストリームのビームフォーミング送信が、送信ダイバーシティと組み合わせて使用され得る。
【００２０】
[0030]以下の詳細な説明においては、アクセスネットワークの種々の態様が、ＤＬにおいてＯＦＤＭをサポートするＭＩＭＯシステムに関連して説明される。ＯＦＤＭは、ＯＦＤＭシンボル内のいくつかのサブキャリアにわたってデータを変調するスペクトル拡散技術である。サブキャリアは、間隔を開けて精密周波数に位置している。間隔は、サブキャリアからのデータの復元を受信機にとって可能にする「直交性」を提供する。時間ドメインにおいて、ＯＦＤＭシンボル間干渉に対抗するために、ガードインターバル（例えば、サイクリックプリフィクス）が、各々のＯＦＤＭシンボルに追加され得る。ＵＬは、高いピーク対平均電力比（peak-to-average power ratio）（ＰＡＰＲ）を補償するために、ＤＦＴ拡散ＯＦＤＭ信号の形態のＳＣ−ＦＤＭＡを使用し得る。
【００２１】
[0031]図３は、ＬＴＥにおけるＤＬフレーム構造の例を示す図３００である。フレーム（１０ｍｓ）は、１０個の等しいサイズのサブフレームに分割され得る。各サブフレームは、２個の連続するタイムスロットを含み得る。各々がリソースブロックを含む２個のタイムスロットを表すために、リソースグリッドが使用され得る。リソースグリッドは、複数のリソースエレメントに分割される。ＬＴＥにおいては、ノーマルサイクリックプリフィクス（normal cyclic prefix）に関して、リソースブロックが、周波数ドメインにおいて１２個の連続するサブキャリアを含むとともに、時間ドメインにおいて７個の連続するＯＦＤＭシンボルを含み、合計で８４個のリソースエレメントを含む。拡張サイクリックプリフィクスに関しては、リソースブロックが、周波数ドメインにおいて１２個の連続するサブキャリアを含むとともに、時間ドメインにおいて６個の連続するＯＦＤＭシンボルを含み、合計で７２個のリソースエレメントを含む。リソースエレメントのうちのＲ  ３０２、３０４として示されるいくつかは、ＤＬ基準信号（ＤＬ−ＲＳ）を含む。ＤＬ−ＲＳは、セル固有のＲＳ（ＣＲＳ）（共通ＲＳと呼ばれることもある）３０２と、ＵＥ固有のＲＳ（ＵＥ−ＲＳ）３０４とを含む。ＵＥ−ＲＳ３０４は、対応する物理ＤＬ共有チャネル（ＰＤＳＣＨ）がマッピングされたリソースブロックにおいて送信される。各々のリソースエレメントによって搬送されるビット数は、変調スキームに依存する。すなわち、ＵＥが受信するリソースブロックがより多く、変調スキームが高度であるほど、このＵＥについてのデータレートは高くなる。
【００２２】
[0032]図４は、ＬＴＥにおけるＵＬフレーム構造の例を示す図４００である。ＵＬのために利用可能なリソースブロックは、データセクションと制御セクションとに分割され得る。制御セクションは、システム帯域幅の両端に形成され得、設定可能なサイズを有し得る。制御セクション内のリソースブロックは、制御情報の送信のためにＵＥに割り当てられ得る。データセクションは、制御セクションに含まれないすべてのリソースブロックを含み得る。ＵＬフレーム構造は、連続するサブキャリアを含むデータセクションをもたらし、これは、データセクションの連続するサブキャリアのすべてを単一のＵＥに割り当てることを可能にし得る。
【００２３】
[0033]ＵＥに、ｅＮＢに制御情報を送信するために、制御セクションのリソースブロック４１０ａ、４１０ｂが割り当てられ得る。さらに、ＵＥに、ｅＮＢにデータを送信するために、データセクションのリソースブロック４２０ａ、４２０ｂが割り当てられ得る。ＵＥは、制御セクションの割り当てられたリソースブロックにおいて、物理ＵＬ制御チャネル（ＰＵＣＣＨ）にて制御情報を送信し得る。ＵＥは、データセクションの割り当てられたリソースブロックにおいて、物理ＵＬ共有チャネル（ＰＵＳＣＨ）にてデータあるいはデータおよび制御情報の両方を送信し得る。ＵＬ送信は、サブフレームの両方のスロットにまたがり得、周波数を横断してホッピングし得る。
【００２４】
[0034]リソースブロックのセットが、物理ランダム・アクセス・チャネル（ＰＲＡＣＨ）４３０において初期システムアクセスを実行し、ＵＬ同期を達成するために使用され得る。ＰＲＡＣＨ４３０は、ランダムシーケンスを搬送するが、いかなるＵＬデータ／シグナリングも搬送できない。各々のランダム・アクセス・プリアンブルが、連続する６個のリソースブロックに対応する帯域幅を占める。開始周波数は、ネットワークによって指定される。すなわち、ランダム・アクセス・プリアンブルの送信は、特定の時間および周波数リソースに限られる。ＰＲＡＣＨについて、周波数ホッピングは存在しない。ＰＲＡＣＨの試みは、単一のサブフレーム（１ｍｓ）または連続した少数のサブフレームのシーケンスにて搬送され、ＵＥは、１フレーム（１０ｍｓ）につき１回のＰＲＡＣＨの試みを行うことができる。
【００２５】
[0035]図５は、ＬＴＥにおけるユーザおよび制御プレーンのための無線プロトコルアーキテクチャの例を示す図５００である。ＵＥおよびｅＮＢのための無線プロトコルアーキテクチャが、レイヤ１、レイヤ２、およびレイヤ３という３つのレイヤを有して示されている。レイヤ１（Ｌ１レイヤ）は、最下位のレイヤであり、種々の物理レイヤ信号処理機能を実現する。Ｌ１レイヤは、本明細書において、物理レイヤ５０６と呼ばれる。レイヤ２（Ｌ２レイヤ）５０８は、物理レイヤ５０６の上方にあり、物理レイヤ５０６を介したＵＥとｅＮＢとの間のリンクを担う。
【００２６】
[0036]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケット・データ・コンバージェンス・プロトコル（ＰＤＣＰ）５１４サブレイヤを含み、これらはネットワーク側においてｅＮＢを終端とする。図示されていないが、ＵＥは、ネットワーク側においてＰＤＮゲートウェイ１１８を終端とするネットワークレイヤ（例えば、ＩＰレイヤ）および接続の他端（例えば、ファーエンドＵＥ、サーバ、など）を終端とするアプリケーションレイヤを含むＬ２レイヤ５０８の上方のいくつかの上位レイヤを有し得る。
【００２７】
[0037]ＰＤＣＰサブレイヤ５１４は、異なる無線ベアラおよび論理チャネルの間の多重化を提供する。さらに、ＰＤＣＰサブレイヤ５１４は、無線送信のオーバーヘッドを減らすための上位レイヤのデータパケットのヘッダ圧縮、データパケットを暗号化することによるセキュリティ、およびｅＮＢ間のＵＥのハンドオーバのサポートを提供する。ＲＬＣサブレイヤ５１２は、ハイブリッド自動再送要求（ＨＡＲＱ）に起因して順序が乱れた受信を補償するために、上位レイヤデータパケットの分割および再構築、失われたデータパケットの再送、およびデータパケットの並べ替えを提供する。ＭＡＣサブレイヤ５１０は、論理およびトランスポートチャネルの間の多重化を提供する。さらに、ＭＡＣサブレイヤ５１０は、１つのセルの種々の無線リソース（例えば、リソースブロック）のＵＥ間の割り当てを担う。また、ＭＡＣサブレイヤ５１０は、ＨＡＲＱ動作も担う。
【００２８】
[0038]制御プレーンにおいて、ＵＥおよびｅＮＢのための無線プロトコルアーキテクチャは、制御プレーンにはヘッダ圧縮機能が存在しない点を除き、物理レイヤ５０６およびＬ２レイヤ５０８について実質的に同じである。さらに、制御プレーンは、レイヤ３（Ｌ３レイヤ）に無線リソース制御（ＲＲＣ）サブレイヤ５１６を含む。ＲＲＣサブレイヤ５１６は、無線リソース（例えば、無線ベアラ）の取得、およびｅＮＢとＵＥとの間のＲＲＣシグナリングを用いる下位レイヤの設定を担う。
【００２９】
[0039]図６は、アクセスネットワークにおいてＵＥ６５０と通信するｅＮＢ６１０のブロック図である。ＤＬにおいて、コアネットワークからの上位レイヤパケットが、コントローラ／プロセッサ６７５にもたらされる。コントローラ／プロセッサ６７５は、Ｌ２レイヤの機能を実現する。ＤＬにおいて、コントローラ／プロセッサ６７５は、ヘッダ圧縮、暗号化、パケットの分割および並べ替え、論理およびトランスポートチャネルの間の多重化、ならびに種々の優先度の基準に基づくＵＥ６５０への無線リソースの割り当てを提供する。さらに、コントローラ／プロセッサ６７５は、ＨＡＲＱ動作、失われたパケットの再送、およびＵＥ６５０へのシグナリングを担う。
【００３０】
[0040]送信（ＴＸ）プロセッサ６１６が、Ｌ１レイヤ（すなわち、物理レイヤ）のための種々の信号処理機能を実現する。信号処理機能は、ＵＥ６５０での前方誤り訂正（ＦＥＣ）を容易にするための符号化およびインターリービング、ならびに種々の変調スキーム（例えば、二位相偏移変調（ＢＰＳＫ）、四位相偏移変調（ＱＰＳＫ）、多値位相偏移変調（Ｍ−ＰＳＫ）、多値直交振幅変調（Ｍ−ＱＡＭ））に基づく信号配列へのマッピングを含む。次いで、符号化および変調後のシンボルは、並列ストリームに分けられる。次に、各々のストリームが、ＯＦＤＭサブキャリアにマッピングされ、時間および／または周波数ドメインにおいて基準信号（例えば、パイロット）と多重化され、次いで逆高速フーリエ変換（ＩＦＦＴ）を用いて一体に結合され、時間ドメインＯＦＤＭシンボルストリームを搬送する物理チャネルが生成される。ＯＦＤＭストリームは、複数の空間ストリームを生成するために空間的にプリコーディングされる。符号化および変調スキームの決定、ならびに空間処理のために、チャネル推定器６７４からのチャネル推定値が使用され得る。チャネル推定値は、ＵＥ６５０によって送信された基準信号および／またはチャネル条件フィードバックから導出され得る。次いで、各々の空間ストリームが、個々の送信機６１８ＴＸを介して異なるアンテナ６２０にもたらされ得る。各々の送信機６１８ＴＸは、送信のために、それぞれの空間ストリームでＲＦキャリアを変調し得る。
【００３１】
[0041]ＵＥ６５０において、各々の受信機６５４ＲＸが、それぞれのアンテナ６５２を通して信号を受信する。各々の受信機６５４ＲＸは、ＲＦキャリアに変調された情報を復元し、この情報を受信（ＲＸ）プロセッサ６５６にもたらす。ＲＸプロセッサ６５６は、Ｌ１レイヤの種々の信号処理機能を実現する。ＲＸプロセッサ６５６は、ＵＥ６５０に向けられた任意の空間ストリームを復元するために、情報に対して空間処理を実行し得る。複数の空間ストリームがＵＥ６５０に宛てられている場合、これらは、ＲＸプロセッサ６５６によって単一のＯＦＤＭシンボルストリームに結合され得る。次に、ＲＸプロセッサ６５６は、高速フーリエ変換（ＦＦＴ）を用いて、ＯＦＤＭシンボルストリームを時間ドメインから周波数ドメインに変換する。周波数ドメインの信号は、ＯＦＤＭ信号の各々のサブキャリアについて別々のＯＦＤＭシンボルストリームを備える。各々のサブキャリア上のシンボルおよび基準信号は、ｅＮＢ６１０によって送信された最も可能性の高い信号配列点を決定することによって復元および復調される。これらの軟判定（ｓｏｆｔ  ｄｅｃｉｓｉｏｎｓ）は、チャネル推定器６５８によって計算されたチャネル推定値に基づき得る。次に、軟判定が、物理チャネルにおいてｅＮＢ６１０によって最初に送信されたデータおよび制御信号を復元するために、復号およびデインターリーブされる。次いで、データおよび制御信号は、コントローラ／プロセッサ６５９にもたらされる。
【００３２】
[0042]コントローラ／プロセッサ６５９は、Ｌ２レイヤを実現する。コントローラ／プロセッサは、プログラムコードおよびデータを格納するメモリ６６０に組み合わせられ得る。メモリ６６０は、コンピュータ読取可能媒体と呼ばれ得る。ＵＬにおいて、コントローラ／プロセッサ６５９は、コアネットワークからの上位レイヤパケットを復元するために、トランスポートおよび論理チャネルの間の多重化の解除、パケットの再構築、暗号化の解除、ヘッダ圧縮の解凍、ならびに制御信号の処理を提供する。次に、上位レイヤパケットは、データシンク６６２にもたらされ、データシンク６６２は、Ｌ２レイヤよりも上位のすべてのプロトコルレイヤを表す。種々の制御信号も、Ｌ３処理のために、データシンク６６２にもたらされ得る。さらに、コントローラ／プロセッサ６５９は、ＨＡＲＱ動作をサポートするために、肯定応答（ＡＣＫ）および／または否定応答（ＮＡＣＫ）プロトコルを使用した誤り検出を担う。
【００３３】
[0043]ＵＬにおいて、データソース６６７が、コントローラ／プロセッサ６５９に上位レイヤパケットをもたらすために使用される。データソース６６７は、Ｌ２レイヤよりも上位のすべてのプロトコルレイヤを表す。ｅＮＢ６１０によるＤＬ送信に関連して説明した機能と同様に、コントローラ／プロセッサ６５９は、ヘッダ圧縮、暗号化、パケットの分割および並べ替え、ならびにｅＮＢ６１０による無線リソースの割り当てにもとづいた論理およびトランスポートチャネルとの間の多重化を提供することにより、ユーザプレーンおよび制御プレーンのためのＬ２レイヤを実現する。また、コントローラ／プロセッサ６５９は、ＨＡＲＱ動作、失われたパケットの再送、およびｅＮＢ６１０へのシグナリングを担う。
【００３４】
[0044]ｅＮＢ６１０によって送信された基準信号またはフィードバックからチャネル推定器６５８によって導出されるチャネル推定値が、適切な符号化および変調のスキームを選択し、空間処理を容易にするために、ＴＸプロセッサ６６８によって使用され得る。ＴＸプロセッサ６６８によって生成された空間ストリームは、個々の送信機６５４ＴＸを介して異なるアンテナ６５２にもたらされ得る。各々の送信機６５４ＴＸは、送信のために、それぞれの空間ストリームでＲＦキャリアを変調し得る。
【００３５】
[0045]ＵＬ送信は、ｅＮＢ６１０において、ＵＥ６５０における受信機の機能に関連して説明した方法と同様の方法で処理される。各々の受信機６１８ＲＸが、それぞれのアンテナ６２０を通して信号を受信する。各々の受信機６１８ＲＸは、ＲＦキャリアに変調された情報を復元し、この情報をＲＸプロセッサ６７０にもたらす。ＲＸプロセッサ６７０は、Ｌ１レイヤを実現し得る。
【００３６】
[0046]コントローラ／プロセッサ６７５が、Ｌ２レイヤを実現する。コントローラ／プロセッサ６７５は、プログラムコードおよびデータを格納するメモリ６７６に組み合わせられ得る。メモリ６７６は、コンピュータ読取可能媒体と呼ばれ得る。ＵＬにおいて、コントロール／プロセッサ６７５は、ＵＥ６５０からの上位レイヤパケットを復元するために、トランスポートおよび論理チャネルの間の多重化の解除、パケットの再構築、暗号化の解除、ヘッダ圧縮の解凍、ならびに制御信号の処理を提供する。コントローラ／プロセッサ６７５からの上位レイヤパケットは、コアネットワークにもたらされ得る。さらに、コントローラ／プロセッサ６７５は、ＨＡＲＱ動作をサポートするために、ＡＣＫおよび／またはＮＡＣＫプロトコルを使用した誤り検出を担う。
【００３７】
[0047]図７は、ＬＴＥにおけるＵＬフレーム構造の例を示す第２の図７００である。ＵＬフレーム（１０ｍｓ）は、１０個の等しいサイズのサブフレーム７０２に分割され得る。各サブフレームは、２個の連続するタイムスロットを含み得る。各々がリソースブロックを含む２個のタイムスロットを表すために、リソースグリッドが使用され得る。リソースグリッドは、複数のリソースエレメントに分割される。リソースブロックは、周波数ドメインにおける１２個の連続するサブキャリアおよび時間ドメインにおける７個の連続するＳＣ−ＦＤＭＡシンボルを含み、すなわち８４個のリソースエレメントを含む。リソースエレメント７０４は、データおよび／または制御情報を含み得る。リソースエレメント７０６は、基準／パイロット信号を含み得る。リソースエレメント７０８は、ＳＲＳを含み得る。ＳＲＳは、サブフレームのスロット１のリソースブロックの最後のＳＣ−ＦＤＭＡシンボルにおいて送信され得る。ＳＲＳは、主として、ＵＬにおける周波数選択的なスケジューリングを可能にするためのチャネル品質の推定のためにサービングｅＮＢによって使用される。このようなＳＲＳは、ＵＥによる電力制御の対象である。したがって、サービングｅＮＢは、ＳＲＳがＵＥによって送信される電力を知らないことがある。複数のＵＥ間の周波数選択的なスケジューリングをサポートするために、異なるＵＥからのＳＲＳが重畳し得る。したがって、サブフレームのスロット１のリソースブロックの最後のＳＣ−ＦＤＭＡシンボルが、コーム（ｃｏｍｂ）構造へと分割され得、１つ以上のＵＥがコーム０においてＳＲＳを送信するように割り当てられ、１つ以上の他のＵＥがコーム１においてＳＲＳを送信するように割り当てられる。図示されていないが、ＳＲＳに送信について、他の可能性も存在する。例として、ＳＲＳは、リソースエレメント７０６に基づき得、そこではＰＵＳＣＨ送信のものとは異なるサイクリックシフトおよび／または直交カバーコード（ＯＣＣ）が、アップリンクチャネルのサウンディングの目的のための基準／パイロット信号とともに使用され得る。
【００３８】
[0048]例示的な方法において、ＵＥは、ｅＮＢおよび／または他のＵＥなどの他のノードによる近接検出を可能にするために、固定／所定の送信電力でＳＲＳを送信するように構成され得る。固定／所定の送信電力でＳＲＳを送信するようにＵＥを構成することは、受信電力および固定／所定の送信電力における差を決定することによってノードが当該ノードへのＵＥの近接を決定することを可能にすることができる。近接検出は、ｅＮＢのカバレッジの範囲内にＵＥが存在せず、あるいはわずかしか存在しない場合に、ｅＮＢが低電力モードを利用すること、完全にオフになること、送信電力を減らすこと、送信サイクルのデューティサイクルを減らすこと、あるいは電力削減のための他の変更を実行することを可能にすることによって、小さなセルのｅＮＢにおけるエネルギーの節約を促進することができる。ＳＲＳおよび近接検出に関する例示的な方法が、以下に提示される。
【００３９】
[0049]図８が、ＳＲＳおよび近接検出に関する例示的な方法を説明するための図８００である。図８に示されるように、ＵＥ８０４が、少なくとも１つの固定／所定の送信電力でＳＲＳを送信するようにとのｅＮＢ８０２からの要求８１０を受信する。続いて、ＵＥ８０４は、要求に基づいて、少なくとも１つの固定／所定の送信電力でＳＲＳ８２４を送信する。小さなセルのｅＮＢ８７０は、受信したＳＲＳ８２４に基づいてＵＥ８０４への近接を決定し得る。小さなセルのｅＮＢ８７０は、決定した近接および決定した他のＵＥへの近接に基づいて、電力を制御８７２し得る（例えば、低電力モードを利用し、完全にオフになり、送信電力を下げ、送信信号のデューティサイクルを減らし、あるいは電力削減のための他の変更を実行し得る）。ＵＥ８０４は、また、固定／所定の送信電力を用いずに第２のＳＲＳ８３４を送信し得る。第２のＳＲＳ８３４が送信される電力は、第２のＳＲＳがノード／ｅＮＢによって受信されるべき受信電力を示す、受信された情報に基づき得る。ＵＥ８０４は、受信された電力情報に基づいて第２のＳＲＳを送信するための電力を決定し、したがって第２のＳＲＳ８３４は、ＵＥ８０４における電力制御を受ける。ｅＮＢ８０２は、受信された第２のＳＲＳ８３４に基づいてＵＥ８０４にとって良好な周波数選択的なＵＬのスケジューリングを決定し得る。さらに、図８に示されるように、ＵＥ８０８が、少なくとも１つの固定／所定の送信電力でＳＲＳを送信するようにとのＵＥ８０６からの要求８１４を受信する。続いて、ＵＥ８０８は、要求に基づいて、少なくとも１つの固定／所定の送信電力でＳＲＳ８２８を送信する。小さなセルのｅＮＢ８７０は、受信されたＳＲＳ８２８に基づいてＵＥ８０８への近接を決定し得る。小さなセルのｅＮＢ８７０は、決定した近接および決定した他のＵＥへの近接に基づいて、電力を制御８７２し得る。ＵＥ８０８は、また、固定／所定の送信電力を用いずに（あるいは、特定の受信電力に基づく送信電力で）第２のＳＲＳ８３８を送信し得る。ＵＥ８０６は、自ら要求８１４を生成し得、あるいはｅＮＢ８０２から受信した要求８１２を中継し得る。ＳＲＳは、近接ＳＲＳ、固定電力ＳＲＳ、または所定の送信電力のＳＲＳ（predetermined-transmit-power SRS）と呼ばれ得る。第２のＳＲＳは、標準（ｒｅｇｕｌａｒ）ＳＲＳ、非固定電力ＳＲＳ（non-fixed-power SRS）、または所定の送信電力でないＳＲＳ（non-predetermined-transmit-power SRS）と呼ばれ得る。
【００４０】
[0050]再び要求８１０を参照する。一構成において、要求８１０は、既知の送信電力（例えば、最大送信電力または他の既知の送信電力値）に対する固定／所定のオフセットでＳＲＳを送信するようにとの要求であり得る。このような構成において、ＵＥ８０４は、ＳＲＳが送信されるオフセットされた送信電力を示す情報を受信し得る。このオフセットは、最大ＵＥ送信電力あるいはＵＥおよびノードにとって既知の何らかの他の既知の送信電力値に対するオフセットであり得る。次いで、ＵＥ８０４は、送信電力を決定して調整された送信電力を得るべくオフセットを適用し得、その調整された送信電力にてＳＲＳ８２４、８２８を送信し得る。
【００４１】
[0051]ＵＥは、定期的なＳＲＳまたは非定期的なＳＲＳを送信するようにトリガされ得る。少なくとも１つの固定／所定の送信電力は、最大電力などの１つの固定／所定の送信電力、あるいはＳＲＳが送信されるべき複数の異なる電力であり得る。ＵＥは、固定電力／近接ＳＲＳおよび非固定電力／標準ＳＲＳの両方を送信するように同時に構成され得る。ＳＲＳを送信するとき、ＵＥは、ＳＲＳの送信の電力を適切に制御するために送信されるＳＲＳの種類を決定することを必要とし得る。例えば、ＵＥが固定電力／近接ＳＲＳを送信するとき、ＵＥは、ＳＲＳの送信に固定／所定の送信電力を使用する。しかしながら、ＵＥが非固定電力／標準ＳＲＳを送信するとき、ＳＲＳの送信は、ＵＥにおける電力制御の対象である。具体的には、標準ＳＲＳに関して、ＵＥは、ＳＲＳがｅＮＢによって受信されるべき受信電力を示す情報を受信し得、ＵＥは、ＳＲＳが要求された受信電力でｅＮＢによって受信されるようにＳＲＳの送信電力を調節し得る。ＵＥは、ノード（例えば、ｅＮＢ８０２、ＵＥ８０６）から少なくとも１つの固定／所定の送信電力を示す設定を受信し得る。あるいは、ＵＥは、固定電力／近接ＳＲＳが送信されるべき少なくとも１つの固定／所定の送信電力についての静的な設定（または、所定の設定）を有し得る。
【００４２】
[0052]固定電力／近接ＳＲＳのためのＳＲＳパラメータのうちの１つ以上は、固定（静的または所定）とされ、あるいは設定され得る。すなわち、ＳＲＳの周波数ホップのサイズ、帯域幅、コーム、またはサイクリックシフトを含むＳＲＳパラメータのうちの１つ以上が、ＵＥについて所定とされ得、あるいはＵＥが、ＳＲＳパラメータについての設定を受信し得る。設定は、ＲＲＣシグナリングによって受信され得、あるいはダウンリンク制御情報（ＤＣＩ）メッセージによるなど、動的に示され得る。ＳＲＳパラメータは、ＳＲＳ送信周期およびＳＲＳサブフレームオフセットをさらに含み得る。ＳＲＳ送信周期は、ＳＲＳが送信される周期性であり、ＳＲＳサブフレームオフセットは、ＳＲＳ送信周期においてＳＲＳが送信されるサブフレームを示す。ＳＲＳ帯域幅は、ＵＥに割り当てられたリソースブロックの数である。ＳＲＳ帯域幅は、偶数個のリソースブロックであり得る。複数のサイクリック時間シフト（例えば、８）が、各々のコームについてサポートされることで、同じリソースブロックおよびリソースブロック内のコームを用いた複数のＵＥからの同時のＳＲＳ送信を可能にし得る。ＵＥは、１ポート送信で固定電力／近接ＳＲＳを送信し得る。
【００４３】
[0053]固定電力／近接ＳＲＳの要求８１０、８１４は、周期的なＳＲＳに関するものであり得る。ＵＥは、ＳＲＳが固定／所定の送信電力で送信される近接検出のための別個のＳＲＳプロセスで設定され得る。すなわち、ＵＥは、固定電力／近接ＳＲＳを送信するための第１のプロセスおよび非固定電力／標準ＳＲＳを送信するための第２のプロセスで設定され得る。固定／所定のＳＲＳ送信電力は、あらかじめ定められることができ、あるいは設定可能であることができる。ＵＥは、ＳＲＳ送信電力についての特定の設定を受信し、この設定に基づいてＳＲＳを送信し得る。あるいは、ＵＥは、ＵＥの近接を決定しているワイヤレスデバイス（ＵＥおよび／またはｅＮＢ）によって知られた所定のＳＲＳ送信電力を使用し得る。送信電力は、ＳＲＳの送信機会ごとに変化し得る。例えば、ＵＥが１０サブフレームごとに固定電力／近接ＳＲＳを送信し、ＵＥが固定電力／近接ＳＲＳを固定／所定の電力Ｐ１、Ｐ２、Ｐ３、およびＰ４（この順番）で送信すると仮定する。この場合、ＵＥは、ＳＲＳをフレーム４ｎ＋ｍ（０≦ｍ≦３）において電力Ｐ１で、フレーム４ｎ＋ｍ＋１において電力Ｐ２で、フレーム４ｎ＋ｍ＋２において電力Ｐ３で、フレーム４ｎ＋ｍ＋３において電力Ｐ４で送信し得る。異なるＳＲＳについての処理が重畳するとき、固定電力／近接ＳＲＳは、非固定電力／標準ＳＲＳよりも先行し得る。例えば、ＵＥが固定電力／近接ＳＲＳおよび非固定電力／標準ＳＲＳを送信するようにとの要求を受信するとき、ＵＥは、非固定電力／標準ＳＲＳの送信が固定電力／近接ＳＲＳの送信と同じキャリア上の同じサブフレームを占めるか否かを決定し得る。非固定電力／標準ＳＲＳが固定電力／近接ＳＲＳの送信と同じキャリア上の同じサブフレームを占めるとＵＥが決定する場合、ＵＥは、固定電力／近接ＳＲＳを送信するために、サブフレームにおける非固定電力／標準ＳＲＳの送信を差し控え得る。ひとたび固定電力／近接ＳＲＳを送信するように設定されると、ＵＥは、ＵＥが固定電力／近接ＳＲＳの送信を停止するよう示す別の要求を受信するまで、固定電力／近接ＳＲＳの送信を続け得る。ひとたび固定電力／近接ＳＲＳを送信するように設定されると、ＵＥは、ＵＥが固定電力／近接ＳＲＳの送信に使用する１つ以上のＳＲＳパラメータ（例えば、周波数ホップのサイズ、帯域幅、コーム、サイクリックシフト、ＳＲＳ送信周期、ＳＲＳサブフレームオフセット、または他のＳＲＳ関連のパラメータ）を変更する追加の要求を受信し得る。
【００４４】
[0054]固定電力／近接ＳＲＳの要求８１０、８１４は、非周期的なＳＲＳに関するものであり得る。ＵＥは、制御チャネルを通じて非周期的なＳＲＳ送信の要求を受信し得る。ＵＥは、物理ダウンリンク制御チャネル（ＰＤＣＣＨ）または拡張ＰＤＣＣＨ（ＥＰＤＣＣＨ）を通じて非周期的なＳＲＳ送信の要求を受信し得る。具体的には、要求は、ＤＣＩフォーマット０のメッセージ（あるいは、例えばＤＣＩフォーマット４、２Ｂ、２Ｃ、または２Ｄなどの他のＤＣＩフォーマット）またはＤＣＩフォーマット１ＡのメッセージにおけるＰＤＣＣＨオーダを通じて受信され得る。ＤＣＩメッセージにおける特別なシーケンス、既存のシーケンスの再使用、または新たなビットが、非周期的なＳＲＳ送信をトリガするために使用され得る。例えば、ＤＣＩフォーマット０のメッセージにおいて、非周期的なＳＲＳ送信は、リソース割り当てフィールドがすべて「１」に設定され、非周期的ＳＲＳフラグが設定される場合にトリガされ得る。別の例として、ＤＣＩフォーマット１ＡのメッセージにおけるＰＤＣＣＨオーダが、ＵＥに非周期的なＳＲＳの送信を示し得る。固定／所定のＳＲＳ送信電力は、あらかじめ定められることができ、あるいは動的に割り当てられることができる。非周期的な固定電力／近接ＳＲＳは、単発（ｏｎｅ−ｓｈｏｔ）または多発（ｍｕｌｔｉｐｌｅ−ｓｈｏｔ）のＳＲＳであることができる。ＵＥによる固定電力／近接ＳＲＳの送信の回数は、あらかじめ定められ得、あるいは設定され得る。例えば、ＵＥは、各々のＳＲＳ送信について同じ固定／所定の送信電力Ｐあるいはｎ発のＳＲＳについての固定／所定の送信電力Ｐ１、Ｐ２、・・・、Ｐｎで設定され得る。ＵＥは、ＳＲＳの各々の個別の送信において増加する傾きの固定／所定の送信電力で固定電力／近接ＳＲＳを送信し得る。例えば、ＵＥは、第１のサブフレームにおけるＳＲＳを最大電力を９ｄＢ下回って、第２のサブフレームにおけるＳＲＳを最大電力を６ｄＢ下回って、第３のサブフレームにおけるＳＲＳを最大電力を３ｄＢ下回って、第４のサブフレームにおけるＳＲＳを最大電力で、送信し得る。
【００４５】
[0055]ＵＥは、ＳＲＳをＵＥにユニークなＵＥ固有シーケンスで送信し得る。ＵＥ固有シーケンスは、固定電力／近接ＳＲＳを受信するワイヤレスデバイスがＵＥをより迅速に検出できるよう、ＵＥ  ＩＤ（例えば、セル無線ネットワーク一時的識別子（Ｃ−ＲＮＴＩ））に基づき得る。ＵＥ固有シーケンスがなければ、ワイヤレスデバイスは、どのＵＥから固定電力／近接ＳＲＳが受信されたかを決定するために他の手段を使用し得る。別の構成において、ＵＥは、ＵＥのグループにユニークなグループ固有シーケンスでＳＲＳを送信し得る。この場合、固定電力／近接ＳＲＳを受信するワイヤレスデバイスは、受信した固定電力／近接ＳＲＳに関連付けられたＵＥのセットを決定し得、固定電力／近接ＳＲＳがＵＥのセットのうちのどのＵＥから受信されたかを決定するために他の手段を使用し得る。さらに他の構成において、ＵＥは、ＳＲＳ送信電力の異なるシーケンスにて設定／割り当てされ得る。割り当てられたシーケンスは、ＵＥに、またはＵＥのセットにユニークなものであり得る。固定電力／近接ＳＲＳを受信するワイヤレスデバイスは、受信したＳＲＳ送信の電力を時間平均して、固定電力／近接ＳＲＳの送信に使用された電力のシーケンスを決定し得る。割り当てられたシーケンスがＵＥにユニークなものである場合、ワイヤレスデバイスは、決定された電力のシーケンスを割り当てられた電力のシーケンスと比較することによって、どのＵＥから固定電力／近接ＳＲＳが受信されたのかを決定し得る。割り当てられたシーケンスがＵＥのセットにユニークなものである場合、ワイヤレスデバイスは、ＵＥのセットを決定し得、固定電力／近接ＳＲＳがＵＥのセットのうちのどのＵＥから受信されたかを決定するために他の手段を使用し得る。
【００４６】
[0056]固定電力／近接ＳＲＳのための固定／所定の（典型的には大きい）送信電力ゆえに、近接検出のための固定電力／近接ＳＲＳを受信したワイヤレスデバイスは、異なるＵＥ間のＳＲＳ干渉に対処する必要がある。このようなワイヤレスデバイスは、符号分割多重（ＣＤＭ）の使用の回避を試みつつ、時分割多重（ＴＤＭ）、周波数分割多重（ＦＤＭ）またはこれらの組み合わせを使用することができる。ＵＥは、異なるサブフレームにおいて固定電力／近接ＳＲＳおよび非固定電力／標準ＳＲＳを送信するためにＴＤＭを使用し得る。具体的には、ＵＥは、サブフレームのセットのうちのサブフレームの第１のサブセットにおいて固定電力／近接ＳＲＳを送信し得、サブフレームのセットのうちのサブフレームの第２のサブセットにおいて非固定電力／標準ＳＲＳを送信し得る。サブフレームの第１のサブセットは、サブフレームの第２のサブセットと異なる（すなわち、サブフレームの第１のサブセットおよび第２のサブセット中のサブフレームのいずれにおいても重複がない）。ＵＥは、異なるリソースブロックおよび／または同じリソースブロックの異なるコームにおいて固定電力／近接ＳＲＳを送信するためにＦＤＭを使用し得る。異なるコームにおいて固定電力／近接ＳＲＳを送信するためのＦＤＭの使用に関して、ＵＥは、リソースブロックのセットのうちのＳＣ−ＦＤＭＡシンボルの第１のコームにおいて固定電力／近接ＳＲＳを送信し得、リソースブロックのセットのうちのＳＣ−ＦＤＭＡシンボルの第２のコームにおいて非固定電力／標準ＳＲＳを送信し得る。例えば、ＵＥは、リソースブロックのセットのうちのコーム０または１の一方において固定電力／近接ＳＲＳを送信し、リソースブロックのセットのうちのコーム０または１の他方において非固定電力／標準ＳＲＳを送信するように構成され得る。異なるリソースブロックにおいて固定電力／近接ＳＲＳを送信するためのＦＤＭの使用に関して、ＵＥは、リソースブロックの第１のセット内でＳＣ−ＦＤＭＡシンボルにおいて固定電力／近接ＳＲＳを送信し得、リソースブロックの第１のセットとは異なるリソースブロックの第２のセット内でＳＣ−ＦＤＭＡシンボルにおいて非固定電力／標準ＳＲＳを送信し得る（すなわち、リソースブロックの第１および第２のセットは、共通のリソースブロックを有さない）。
【００４７】
[0057]図９は、ワイヤレス通信の方法のフローチャート９００である。この方法は、ＵＥによって実行され得る。ステップ９０２において、ＵＥは、ノード（例えば、ｅＮＢおよび／または他のＵＥ）から少なくとも１つの固定／所定の送信電力を示す設定を受信し得る。ステップ９０４において、ＵＥは、少なくとも１つの固定／所定の送信電力でＳＲＳを送信するようにとの要求を受信する。ＳＲＳ送信のための少なくとも１つの固定／所定の送信電力は、１つの固定／所定の送信電力であり得、あるいは固定／所定の送信電力のセットであり得る。一構成において、要求は、電力オフセットをさらに含み得る。ステップ９０６において、ＵＥは、ノードからＳＲＳの周波数ホップのサイズ、帯域幅、コーム、またはサイクリックシフトのうちの少なくとも１つを示すＳＲＳ設定を受信し得る。あるいは、ＳＲＳの周波数ホップのサイズ、帯域幅、コーム、またはサイクリックシフトのうちの少なくとも１つを含むＳＲＳ設定は、あらかじめ定められて固定され得る。ステップ９０８において、ＵＥは、ＵＥが固定／所定の送信電力を用いずに第２のＳＲＳを送信するようにとの要求を受信したか否かを決定し得る（すなわち、要求は特定の受信電力で第２のＳＲＳを送信するための要求であり得、第２のＳＲＳはＵＥにおける電力制御の対象である）。ステップ９０８においてＵＥが固定／所定の送信電力を用いずに（あるいは、特定の受信電力に基づく送信電力で）第２のＳＲＳを送信するようにとの要求を受信していない場合、ステップ９１０において、ＵＥは、ステップ９０４において受信した要求に基づいて少なくとも１つの固定／所定の送信電力でＳＲＳを送信する。ＵＥが、ＳＲＳを送信するようにとの要求において電力オフセットを受信している場合、ＵＥは、最大送信電力あるいはＵＥおよびノードの両者にとって既知の送信電力の少なくとも一方、ならびに電力オフセットに基づき、少なくとも１つの固定／所定の送信電力を決定し得る。ステップ９１０において、ＳＲＳの送信は、受信された（ステップ９０６）ＳＲＳ設定、あらかじめ定められたＳＲＳ設定、または固定のＳＲＳ設定にさらに基づき得る。ステップ９１０において送信されたＳＲＳは、ＵＥとノードとの間の近接検出のためにノードによって受信され得る。少なくとも１つの固定／所定の送信電力は、最大電力にある１つの固定／所定の送信電力であり得る。あるいは、少なくとも１つの固定／所定の送信電力は、複数の固定／所定の送信電力を含む固定／所定の送信電力のセットであり得る。ステップ９０８においてＵＥが固定／所定の送信電力を用いずに（あるいは、特定の受信電力に基づく送信電力で）第２のＳＲＳを送信するようにとの要求を受信している場合、ステップ９１２において、ＵＥは、第２のＳＲＳの送信がＳＲＳの送信と干渉するか否かを決定する。第２のＳＲＳの送信がＳＲＳの送信と干渉しない場合、ステップ９１４において、ＵＥは、第２のＳＲＳを送信する。しかしながら、第２のＳＲＳの送信がＳＲＳの送信と干渉する場合、ステップ９１６において、ＵＥは、第２のＳＲＳの送信を差し控える。ステップ９１４および９１６に続いて、ステップ９１０において、ＵＥは、ステップ９０４における要求に基づく少なくとも１つの固定／所定の送信電力でＳＲＳを送信する。ＳＲＳの送信は、受信したＳＲＳ設定、あらかじめ定められたＳＲＳ設定、または固定のＳＲＳ設定にさらに基づき得る。ステップ９１０がステップ９１４の後に示されているが、ステップ９１０は、ステップ９１４の前またはステップ９１４と同時に生じ得る。
【００４８】
[0058]ステップ９１２において、ＵＥは、第２のＳＲＳの送信が、少なくとも１つの固定／所定の送信電力でのＳＲＳの送信と同じキャリア上の同じサブフレームを占めるか否かを決定し得る。ステップ９１２において、ＵＥが、第２のＳＲＳの送信が少なくとも１つの固定／所定の送信電力でのＳＲＳの送信と同じキャリア上の同じサブフレームを占めないと決定する場合、ステップ９１４において、ＵＥは、第２のＳＲＳを送信する。しかしながら、ステップ９１２において、ＵＥが、第２のＳＲＳの送信が少なくとも１つの固定／所定の送信電力でのＳＲＳの送信と同じキャリア上の同じサブフレームを占めると決定する場合、ステップ９１６において、ＵＥは、少なくとも１つの固定／所定の送信電力でのＳＲＳの送信と干渉しないように、サブフレームにおける第２のＳＲＳの送信を差し控える。
【００４９】
[0059]ステップ９０２において、要求は、周期的なＳＲＳ送信に関するものであり得る。要求が周期的なＳＲＳ送信に関するものであるときには、ステップ９１０において、ＵＥは、周期的なＳＲＳ送信の要求に基づいて周期的に少なくとも１つの固定／所定の送信電力でＳＲＳを送信する。ステップ９０２において、要求は、制御チャネルを通じた非周期的なＳＲＳ送信に関するものであり得る。要求が非周期的なＳＲＳ送信に関するものであるときには、ステップ９１０において、ＵＥは、制御チャネルにおける非周期的なＳＲＳ送信の要求に基づいて少なくとも１つの固定／所定の送信電力でＳＲＳを送信する。制御チャネルは、ＰＤＣＣＨまたはＥＰＤＣＣＨであり得る。ＳＲＳは、１回または複数回送信され得る。ＳＲＳが送信される回数は、設定に基づき得、あるいはあらかじめ定められ得る。ＵＥは、ＵＥが第２の要求を受信するまでＳＲＳを送信し得る。第２の要求は、ＳＲＳを非アクティブ化させ得、あるいはＳＲＳに関連する少なくとも１つのＳＲＳパラメータを変更し得る。制御チャネルは、ＤＣＩフォーマット０のメッセージあるいはＤＣＩフォーマット１ＡのメッセージのＰＤＣＣＨオーダに関連付けられ得る。ＳＲＳは、ＳＲＳの各々の個別の送信において少なくとも１つの固定／所定の送信電力の増加する傾きの固定／所定の送信電力で送信され得る。
【００５０】
[0060]第１の構成においては、ステップ９１０、９１４において、ＵＥがＳＲＳおよび第２のＳＲＳの両方を送信すると決定するときには、ＵＥは、ＳＲＳをサブフレームのセットのうちのサブフレームの第１のサブセットにおいて少なくとも１つの固定／所定の送信電力で送信し、第２のＳＲＳをサブフレームのセットのうちのサブフレームの第１のサブセットとは異なるサブフレームの第２のサブセットにおいて送信する（すなわち、サブフレームの第１のサブセットと第２のサブセットとの間に共通のサブフレームが存在しない）ことによって、ＳＲＳと第２のＳＲＳとの間の干渉の可能性を低減し得る。第１の構成においては、ＳＲＳの送信と第２のＳＲＳの送信とが、非同時である。第２の構成においては、ステップ９１０、９１４において、ＵＥがＳＲＳおよび第２のＳＲＳの両方を送信すると決定するときには、ＵＥは、ＳＲＳをリソースブロックのセットにおけるＳＣ−ＦＤＭＡシンボルの第１のコームにおいて少なくとも１つの固定／所定の送信電力で送信し、第２のＳＲＳをリソースブロックのセットにおけるＳＣ−ＦＤＭＡシンボルの第２のコームにおいて送信することによって、ＳＲＳと第２のＳＲＳとの間の干渉の可能性を低減し得る。同じＳＣ−ＦＤＭＡシンボルにおける第１および第２のコームは異なる。第２の構成において、ＳＲＳおよび第２のＳＲＳの送信は、同時である。第３の構成においては、ステップ９１０、９１４において、ＵＥがＳＲＳおよび第２のＳＲＳの両方を送信すると決定するときには、ＵＥは、ＳＲＳをリソースブロックの第１のセットにおけるＳＣ−ＦＤＭＡシンボルにおいて少なくとも１つの固定／所定の送信電力で送信し、第２のＳＲＳをリソースブロックの第１のセットとは異なるリソースブロックの第２のセットにおけるＳＣ−ＦＤＭＡシンボルにおいて送信する（すなわち、リソースブロックの第１および第２のセットの間に共通のリソースブロックが存在しない）ことによって、ＳＲＳと第２のＳＲＳとの間の干渉の可能性を低減し得る。第３の構成において、ＳＲＳおよび第２のＳＲＳの送信は、同時である。ＳＲＳは、ＵＥにユニークなＵＥ固有シーケンスで送信され得る。ＵＥは、グループに関連付けられ得、ＳＲＳは、グループにユニークなグループ固有シーケンスで送信され得る。ＵＥに、ＳＲＳを送信するためのノードによって知られた特定の電力シーケンスが割り当てられ得る。特定の電力シーケンスは、ＵＥだけに関連付けられ得、あるいはＵＥを含むＵＥのグループに関連付けられ得る。
【００５１】
[0061]図１０は、例示的な装置１００２における種々のモジュール／手段／構成要素間のデータフローを説明する概念的なデータフロー図１０００である。装置１００２は、ＵＥであり得る。ＵＥは、少なくとも１つの固定／所定の送信電力でＳＲＳを送信するようにとの要求を受信するように構成された受信モジュール１００４を含む。ＵＥは、ｅＮＢ１０５０またはＵＥ１０６０から要求を受信し得る。ＵＥ１０６０は、中継として動作し得る。ＵＥは、受信モジュール１００４と通信し、要求を処理するように構成されたＳＲＳモジュール１００６をさらに含む。ＵＥは、ＳＲＳモジュール１００６と通信する送信モジュール１００８をさらに含む。送信モジュール１００８は、要求に基づいて少なくとも１つの固定／所定の送信電力でＳＲＳを送信するように構成される。少なくとも１つの固定／所定の送信電力は、最大電力にある１つの固定／所定の送信電力であり得る。受信モジュール１００４は、ノードから少なくとも１つの固定／所定の送信電力を示す設定を受信するように構成され得る。受信モジュール１００４は、受信した設定をＳＲＳモジュール１００６へ提供するように構成され得る。ＳＲＳは、ＵＥとノードとの間の近接検出のためにノード（小さなセルのｅＮＢ１０７０）によって受信され得る。ＳＲＳの周波数ホップのサイズ、帯域幅、コーム、またはサイクリックシフトのうちの少なくとも１つを含むＳＲＳ設定は、固定され、あるいはあらかじめ定められ得る。あるいは、受信モジュール１００４は、ノードからＳＲＳの周波数ホップのサイズ、帯域幅、コーム、またはサイクリックシフトのうちの少なくとも１つを示すＳＲＳ設定を受信するように構成され得る。受信モジュール１００４は、受信した設定をＳＲＳモジュール１００６へ提供するように構成され得る。要求は、周期的なＳＲＳ送信の要求であり得る。このような構成において、ＳＲＳは、周期的なＳＲＳ送信の要求に基づいて周期的に、少なくとも１つの固定／所定の送信電力で送信され得る。受信モジュール１００４は、固定／所定の送信電力を用いずに（あるいは、特定の受信電力に基づく送信電力で）第２のＳＲＳを送信するようにとの要求を受信するように構成され得る。ＳＲＳモジュール１００６は、第２のＳＲＳの送信が、少なくとも１つの固定／所定の送信電力でのＳＲＳの送信と同じキャリア上の同じサブフレームを占めると決定するように構成され得る。ＳＲＳモジュール１００６および／または送信モジュール１００８は、少なくとも１つの固定／所定の送信電力でＳＲＳを送信するために、サブフレームにおける第２のＳＲＳの送信を差し控えるように構成され得る。ＳＲＳモジュール１００６が第２のＳＲＳの送信を差し控えるように構成される場合、ＳＲＳモジュール１００６は、送信モジュール１００８に対する第２のＳＲＳの送信の指示を差し控え得、あるいは送信モジュール１００８に第２のＳＲＳのこの特定の送信をスキップするように知らせ得る。
【００５２】
[0062]要求は、制御チャネルを通じた非周期的なＳＲＳ送信に関するものであり得る。ＳＲＳは、制御チャネルにおける非周期的なＳＲＳ送信の要求に基づいて少なくとも１つの固定／所定の送信電力で送信され得る。制御チャネルは、ＰＤＣＣＨまたはＥＰＤＣＣＨであり得る。ＳＲＳは、１回送信され得る。ＳＲＳは、何回か送信され得る。回数は、２以上であり得る。ＳＲＳが送信される回数は、設定に基づき得る。ＳＲＳは、ＵＥが第２の要求を受信するまで送信され得る。第２の要求は、ＳＲＳを非アクティブ化させ得、あるいはＳＲＳに関連する少なくとも１つのパラメータを変更し得る。制御チャネルは、ＤＣＩフォーマット０のメッセージあるいはＤＣＩフォーマット１ＡのメッセージのＰＤＣＣＨオーダの一方に関連付けられ得る。ＳＲＳは、ＳＲＳの個別の送信各々において少なくとも１つの固定／所定の送信電力の増加する傾きの固定／所定の送信電力で送信され得る。送信モジュール１００８は、第２のＳＲＳを送信するように構成され得る。一構成において、少なくとも１つの固定／所定の送信電力のＳＲＳは、サブフレームのセットのうちのサブフレームの第１のサブセットにおいて送信され、第２のＳＲＳは、サブフレームのセットのうちのサブフレームの第２のサブセットにおいて送信される。サブフレームの第１のサブセットは、サブフレームの第２のサブセットとは異なる。一構成において、少なくとも１つの固定／所定の送信電力のＳＲＳは、リソースブロックのセットにおけるＳＣ−ＦＤＭＡシンボルの第１のコームにおいて送信され、第２のＳＲＳは、リソースブロックのセットにおけるＳＣ−ＦＤＭＡシンボルの第２のコームにおいて送信される。一構成において、少なくとも１つの固定／所定の送信電力のＳＲＳは、リソースブロックの第１のセットにおけるＳＣ−ＦＤＭＡシンボルにおいて送信され、第２のＳＲＳは、リソースブロックの第１のセットとは異なるリソースブロックの第２のセットにおけるＳＣ−ＦＤＭＡシンボルにおいて送信される。ＳＲＳは、ＵＥにユニークなＵＥ固有シーケンスで送信され得る。ＵＥは、グループに関連付けられ得、ＳＲＳは、グループにユニークなグループ固有シーケンスで送信され得る。
【００５３】
[0063]装置は、図９の上述のフローチャートにおけるアルゴリズムの各ステップを実行する追加のモジュールを含み得る。したがって、図９の上述のフローチャートの各ステップは、モジュールによって実行され得、装置は、それらのモジュールのうちの１つ以上を含み得る。モジュールは、上述のプロセス／アルゴリズムを実行するようにとくに構成された１つ以上のハードウェアコンポーネントであり得、上述のプロセス／アルゴリズムを実行するように構成されたプロセッサによって実現され得、プロセッサによる実行のためにコンピュータ可読媒体内に格納され得、あるいはこれらの何らかの組み合わせであり得る。
【００５４】
[0064]図１１は、処理システム１１１４を用いる装置１００２’のハードウェアの実装の例を示す図１１００である。処理システム１１１４が、広くバス１１２４によって表されるバスアーキテクチャによって実現され得る。バス１１２４は、処理システム１１１４の個々の用途および全体としての設計の制約事項に応じて、任意の数の相互接続バスおよびブリッジを含み得る。バス１１２４は、プロセッサ１１０４、モジュール１００４、１００６、１００８、およびコンピュータ可読媒体／メモリ１１０６によって代表される１つ以上のプロセッサおよび／またはハードウェアモジュールを含む種々の回路を互いに接続する。バス１１２４は、タイミングソース、周辺機器、電圧調整装置、および電力管理回路など、種々の他の回路も接続し得、これらは技術的に周知であり、したがってこれ以上は説明されない。
【００５５】
[0065]処理システム１１１４は、トランシーバ１１１０へと接続され得る。トランシーバ１１１０は、１つ以上のアンテナ１１２０へと接続され得る。トランシーバ１１１０は、伝送媒体を介して種々の他の装置と通信するための手段を提供する。トランシーバ１１１０は、１つ以上のアンテナ１１２０から信号を受信し、受信した信号から情報を抽出し、抽出した情報を処理システム１１１４へともたらす。加えて、トランシーバ１１１０は、処理システム１１１４から情報を受け取り、受け取った情報に基づいて、１つ以上のアンテナ１１２０へと加えられる信号を生成する。処理システム１１１４は、コンピュータ可読媒体／メモリ１１０６へと接続されたプロセッサ１１０４を含む。プロセッサ１１０４は、コンピュータ可読媒体／メモリ１１０６に保存されたソフトウェアの実行を含む全体的な処理を担う。ソフトウェアは、プロセッサ１１０４によって実行されたときに、任意の特定の装置に関して上述した種々の機能を処理システム１１１４に実行させる。コンピュータ読み取り可能な媒体／メモリ１１０６は、ソフトウェアの実行時にプロセッサ１１０４によって走査されるデータを格納するためにも使用され得る。処理システムは、モジュール１００４、１００６、１００８のうちの少なくとも１つをさらに含む。モジュールは、コンピュータ可読媒体／メモリ１１０６に位置し／格納され、プロセッサ１１０４において動作するソフトウェアモジュール、プロセッサ１１０４へと接続された１つ以上のハードウェアモジュール、あるいはこれらの組み合わせであり得る。処理システム１１１４は、ＵＥ６５０の構成要素であり得、メモリ６６０、ならびに／あるいはＴＸプロセッサ６６８、ＲＸプロセッサ６５６、およびコントローラ／プロセッサ６５９のうちの少なくとも１つを含み得る。
【００５６】
[0066]一構成において、ワイヤレス通信のための装置１００２／１００２’は、ＵＥであり得る。ＵＥは、少なくとも１つの固定／所定の送信電力でＳＲＳを送信するようにとの要求を受信するための手段と、要求に基づいて少なくとも１つの固定／所定の送信電力のＳＲＳを送信するための手段とを含む。ＵＥは、ノードから少なくとも１つの固定／所定の送信電力を示す設定を受信するための手段をさらに含み得る。ＵＥは、ノードからＳＲＳの周波数ホップのサイズ、帯域幅、コーム、またはサイクリックシフトのうちの少なくとも１つを示す設定を受信するための手段をさらに含み得る。ＵＥは、固定／所定の送信電力を用いずに（あるいは、特定の受信電力に基づく送信電力で）第２のＳＲＳを送信するようにとの要求を受信するための手段と、第２のＳＲＳの送信が少なくとも１つの固定／所定の送信電力のＳＲＳの送信と同じキャリア上の同じサブフレームを占めると決定するための手段と、少なくとも１つの固定／所定の送信電力のＳＲＳを送信するために前記サブフレームにおける第２のＳＲＳの送信を差し控えるための手段とをさらに含み得る。ＵＥは、第２のＳＲＳを送信するための手段をさらに含み得る。一構成において、少なくとも１つの固定／所定の送信電力のＳＲＳは、サブフレームのセットのうちのサブフレームの第１のサブセットにおいて送信され、第２のＳＲＳは、サブフレームのセットのうちのサブフレームの第２のサブセットにおいて送信される。サブフレームの第１のサブセットは、サブフレームの第２のサブセットと異なる。一構成において、少なくとも１つの固定／所定の送信電力のＳＲＳは、リソースブロックのセットにおけるＳＣ−ＦＤＭＡシンボルの第１のコームにおいて送信され、第２のＳＲＳは、リソースブロックのセットにおけるＳＣ−ＦＤＭＡシンボルの第２のコームにおいて送信される。一構成において、少なくとも１つの固定／所定の送信電力のＳＲＳは、リソースブロックの第１のセットにおけるＳＣ−ＦＤＭＡシンボルにおいて送信され、第２のＳＲＳは、リソースブロックの第１のセットとは異なるリソースブロックの第２のセットにおけるＳＣ−ＦＤＭＡシンボルにおいて送信される。
【００５７】
[0067]上述の手段は、上述の手段によって言及される機能を実行するように構成された装置１００２および／または装置１００２’の処理システム１１１４の上述のモジュールのうちの１つ以上であり得る。上述のように、処理システム１１１４は、ＴＸプロセッサ６６８、ＲＸプロセッサ６５６、およびコントローラ／プロセッサ６５９を含み得る。したがって、一構成において、上述の手段は、上述の手段によって言及された機能を実行するように構成されたＴＸプロセッサ６６８、ＲＸプロセッサ６５６、およびコントローラ／プロセッサ６５９であり得る。
【００５８】
[0068]上記開示のプロセス／フロー図における各ステップの特定の順序または階層は、典型的な手法の例示であると理解される。設計の優先事項に基づき、プロセス／フロー図における各ステップの特定の順序または階層は、並べ替えられ得ると理解される。さらに、いくつかのステップは、組み合わせられ、あるいは省略され得る。添付の方法に関する請求項は、種々のステップの構成要素を見本の順序にて提示しており、提示された具体的な順序または階層への限定を意味するものではない。
【００５９】
[0069]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図されておらず、むしろ「１つ以上」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つ以上を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つ以上の構成員を含み得る。本開示の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「ための手段（ｍｅａｎｓ  ｆｏｒ）」という表現を使用して明示的に記載されない限り、ミーンズ・プラス・ファンクション（ｍｅａｎｓ  ｐｌｕｓ  ｆｕｎｃｔｉｏｎ）として解釈されてはならない。
【図１】
2016536847.tif 000003
【図２】
2016536847.tif 000004
【図３】
2016536847.tif 000005
【図４】
2016536847.tif 000006
【図５】
2016536847.tif 000007
【図６】
2016536847.tif 000008
【図７】
2016536847.tif 000009
【図８】
2016536847.tif 000010
【図９】
2016536847.tif 000011
【図１０】
2016536847.tif 000012
【図１１】
2016536847.tif 000013
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
少なくとも１つの固定の送信電力によりサウンディングレファレンス信号（ＳＲＳ）を送信するようにとの要求を受信することと、
前記要求に基づいて前記少なくとも１つの固定の送信電力で前記ＳＲＳを送信することと、
を備える方法。
【請求項２】
前記少なくとも１つの固定の送信電力は、最大電力にある１つの固定の送信電力である、請求項１に記載の方法。
【請求項３】
ノードから前記少なくとも１つの固定の送信電力を示す設定を受信することをさらに備える、請求項１に記載の方法。
【請求項４】
前記ＳＲＳを送信するようにとの前記要求は、第１のノードから受信され、前記少なくとも１つの固定の送信電力は、前記ＵＥと第２のノードとの間の近接検出を可能にする、請求項１に記載の方法。
【請求項５】
前記ＳＲＳの周波数ホップのサイズ、帯域幅、コーム、またはサイクリックシフトのうちの少なくとも１つは、固定されている、請求項１に記載の方法。
【請求項６】
ノードから前記ＳＲＳについての周波数ホップのサイズ、帯域幅、コーム、またはサイクリックシフトのうちの少なくとも１つを示す設定を受信することをさらに備える、請求項１に記載の方法。
【請求項７】
前記要求は、周期的なＳＲＳ送信に関するものであり、前記ＳＲＳは、前記周期的なＳＲＳ送信に関する前記要求に基づいて周期的に前記少なくとも１つの固定の送信電力で送信される、請求項１に記載の方法。
【請求項８】
固定の送信電力を用いずに第２のＳＲＳを送信するようにとの要求を受信することと、
前記第２のＳＲＳの送信が前記少なくとも１つの固定の送信電力によるＳＲＳの送信と同じキャリア上の同じサブフレームを占めると決定することと、
前記少なくとも１つの固定の送信電力により前記ＳＲＳを送信するために前記サブフレームにおける前記第２のＳＲＳの送信を差し控えることと、
をさらに備える、請求項７に記載の方法。
【請求項９】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの固定の送信電力で送信される、請求項１に記載の方法。
【請求項１０】
第２のＳＲＳを送信することをさらに備え、ここにおいて、前記少なくとも１つの固定の送信電力をもつ前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１に記載の方法。
【請求項１１】
第２のＳＲＳを送信することをさらに備え、ここにおいて、前記少なくとも１つの固定の送信電力をもつ前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１に記載の方法。
【請求項１２】
第２のＳＲＳを送信することをさらに備え、ここにおいて、前記少なくとも１つの固定の送信電力をもつ前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１に記載の方法。
【請求項１３】
前記ＳＲＳは、前記ＵＥにユニークなＵＥ固有シーケンスで送信される、請求項１に記載の方法。
【請求項１４】
前記ＵＥは、ＵＥグループに関連付けられ、前記ＳＲＳは、前記ＵＥグループにユニークなグループ固有シーケンスで送信される、請求項１に記載の方法。
【請求項１５】
前記要求は、電力オフセットを含み、前記方法は、前記電力オフセットと、最大送信電力または前記ＵＥおよびノードの両方にとって既知の送信電力の少なくとも一方とに基づき、前記少なくとも１つの固定の送信電力を決定すること、をさらに備える、請求項１に記載の方法。
【請求項１６】
ワイヤレス通信のための装置であって、当該装置はユーザ機器（ＵＥ）であり、
メモリと、
前記メモリに接続された少なくとも１つのプロセッサであって、
少なくとも１つの固定の送信電力でサウンディングレファレンス信号（ＳＲＳ）を送信するようにとの要求を受信することと、
前記要求に基づいて前記少なくとも１つの固定の送信電力で前記ＳＲＳを送信することと、
を行うように構成された少なくとも１つのプロセッサと、
を備える装置。
【請求項１７】
前記少なくとも１つの固定の送信電力は、最大電力にある１つの固定の送信電力である、請求項１６に記載の装置。
【請求項１８】
前記少なくとも１つのプロセッサは、ノードから前記少なくとも１つの固定の送信電力を示す設定を受信するように構成される、請求項１６に記載の装置。
【請求項１９】
前記ＳＲＳを送信するようにとの前記要求は、第１のノードから受信され、前記少なくとも１つの固定の送信電力は、前記ＵＥと第２のノードとの間の近接検出を可能にする、請求項１６に記載の装置。
【請求項２０】
前記ＳＲＳの周波数ホップのサイズ、帯域幅、コーム、またはサイクリックシフトのうちの少なくとも１つは、固定されている、請求項１６に記載の装置。
【請求項２１】
前記少なくとも１つのプロセッサは、ノードから前記ＳＲＳについての周波数ホップのサイズ、帯域幅、コーム、またはサイクリックシフトのうちの少なくとも１つを示す設定を受信するように構成される、請求項１６に記載の装置。
【請求項２２】
前記要求は、周期的なＳＲＳ送信に関するものであり、前記ＳＲＳは、前記周期的なＳＲＳ送信に関する前記要求に基づいて周期的に前記少なくとも１つの固定の送信電力で送信される、請求項１６に記載の装置。
【請求項２３】
前記少なくとも１つのプロセッサは、
固定の送信電力を用いずに第２のＳＲＳを送信するようにとの要求を受信することと、
前記第２のＳＲＳの送信が前記少なくとも１つの固定の送信電力でのＳＲＳの送信と同じキャリア上の同じサブフレームを占めると決定することと、
前記少なくとも１つの固定の送信電力により前記ＳＲＳを送信するために前記サブフレームにおける前記第２のＳＲＳの送信を差し控えることと
を行うように構成される、請求項２２に記載の装置。
【請求項２４】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの固定の送信電力で送信される、請求項１６に記載の装置。
【請求項２５】
前記少なくとも１つのプロセッサは、第２のＳＲＳを送信するように構成され、前記少なくとも１つの固定の送信電力での前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１６に記載の装置。
【請求項２６】
前記少なくとも１つのプロセッサは、第２のＳＲＳを送信するように構成され、前記少なくとも１つの固定の送信電力での前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１６に記載の装置。
【請求項２７】
前記少なくとも１つのプロセッサは、第２のＳＲＳを送信するように構成され、前記少なくとも１つの固定の送信電力での前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１６に記載の装置。
【請求項２８】
前記ＳＲＳは、前記ＵＥにユニークなＵＥ固有シーケンスで送信される、請求項１６に記載の装置。
【請求項２９】
ワイヤレス通信のための装置であって、当該装置はユーザ機器（ＵＥ）であり、
少なくとも１つの固定の送信電力でサウンディングレファレンス信号（ＳＲＳ）を送信するようにとの要求を受信するための手段と、
前記要求に基づいて前記少なくとも１つの固定の送信電力で前記ＳＲＳを送信するための手段と、
を備える装置。
【請求項３０】
コンピュータ可読媒体上に記憶されたユーザ機器（ＵＥ）のためのコンピュータプログラム製品であって、少なくとも１つのプロセッサにおいて実行されたときに該少なくとも１つのプロセッサに
少なくとも１つの固定の送信電力でサウンディングレファレンス信号（ＳＲＳ）を送信するようにとの要求を受信することと、
前記要求に基づいて前記少なくとも１つの固定の送信電力で前記ＳＲＳを送信することと、
を行わせるコードを備える、ユーザ機器（ＵＥ）のためのコンピュータプログラム製品。
【請求項３１】
第２のＳＲＳを送信するようにとの要求を受信することと、ここで、前記第２のＳＲＳの送信電力は、前記ＵＥによる制御の対象であり、
前記第２のＳＲＳについての送信電力を決定することと、
前記決定された送信電力を使用して前記第２のＳＲＳを送信することと、
をさらに備える、請求項１に記載の方法。
【手続補正２】
【補正対象書類名】明細書
【補正対象項目名】００５９
【補正方法】変更
【補正の内容】
【００５９】
[0069]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図されておらず、むしろ「１つ以上」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つ以上を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つ以上の構成員を含み得る。本開示の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「ための手段（ｍｅａｎｓ  ｆｏｒ）」という表現を使用して明示的に記載されない限り、ミーンズ・プラス・ファンクション（ｍｅａｎｓ  ｐｌｕｓ  ｆｕｎｃｔｉｏｎ）として解釈されてはならない。
以下に、出願当初の特許請求の範囲に記載された発明を付記する。
［Ｃ１］
ユーザ機器（ＵＥ）のワイヤレス通信の方法であって、
少なくとも１つの所定の送信電力によりサウンディングレファレンス信号（ＳＲＳ）を送信するようにとの要求を受信することと、
前記要求に基づいて前記少なくとも１つの所定の送信電力で前記ＳＲＳを送信することと、
を備える方法。
［Ｃ２］
前記少なくとも１つの所定の送信電力は、最大電力にある１つの所定の送信電力である、上記Ｃ１に記載の方法。
［Ｃ３］
ノードから前記少なくとも１つの所定の送信電力を示す設定を受信することをさらに備える、上記Ｃ１に記載の方法。
［Ｃ４］
前記ＳＲＳは、ノードによって、前記ＵＥと前記ノードとの間の近接検出のために受信される、上記Ｃ１に記載の方法。
［Ｃ５］
前記ＳＲＳの周波数ホップのサイズ、帯域幅、コーム、またはサイクリックシフトのうちの少なくとも１つは、固定されている、上記Ｃ１に記載の方法。
［Ｃ６］
ノードから前記ＳＲＳについての周波数ホップのサイズ、帯域幅、コーム、またはサイクリックシフトのうちの少なくとも１つを示す設定を受信することをさらに備える、上記Ｃ１に記載の方法。
［Ｃ７］
前記要求は、周期的なＳＲＳ送信に関するものであり、前記ＳＲＳは、前記周期的なＳＲＳ送信に関する前記要求に基づいて周期的に前記少なくとも１つの所定の送信電力で送信される、上記Ｃ１に記載の方法。
［Ｃ８］
所定の送信電力を用いずに第２のＳＲＳを送信するようにとの要求を受信することと、
前記第２のＳＲＳの送信が前記少なくとも１つの所定の送信電力によるＳＲＳの送信と同じキャリア上の同じサブフレームを占めると決定することと、
前記少なくとも１つの所定の送信電力により前記ＳＲＳを送信するために前記サブフレームにおける前記第２のＳＲＳの送信を差し控えることと、
をさらに備える、上記Ｃ７に記載の方法。
［Ｃ９］
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの所定の送信電力で送信される、上記Ｃ１に記載の方法。
［Ｃ１０］
第２のＳＲＳを送信することをさらに備え、ここにおいて、前記少なくとも１つの所定の送信電力をもつ前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、上記Ｃ１に記載の方法。
［Ｃ１１］
第２のＳＲＳを送信することをさらに備え、ここにおいて、前記少なくとも１つの所定の送信電力をもつ前記ＳＲＳは、リソースブロックのセット内でシンボルの第１のコームにおいて送信され、前記第２のＳＲＳは、リソースブロックの前記セット内で前記シンボルの第２のコームにおいて送信される、上記Ｃ１に記載の方法。
［Ｃ１２］
第２のＳＲＳを送信することをさらに備え、ここにおいて、前記少なくとも１つの所定の送信電力をもつ前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、上記Ｃ１に記載の方法。
［Ｃ１３］
前記ＳＲＳは、前記ＵＥにユニークなＵＥ固有シーケンスで送信される、上記Ｃ１に記載の方法。
［Ｃ１４］
前記ＵＥは、ＵＥグループに関連付けられ、前記ＳＲＳは、前記ＵＥグループにユニークなグループ固有シーケンスで送信される、上記Ｃ１に記載の方法。
［Ｃ１５］
前記要求は、電力オフセットを含み、前記方法は、前記電力オフセットと、最大送信電力または前記ＵＥおよびノードの両方にとって既知の送信電力の少なくとも一方とに基づき、前記少なくとも１つの所定の送信電力を決定すること、をさらに備える、上記Ｃ１に記載の方法。
［Ｃ１６］
ワイヤレス通信のための装置であって、当該装置はユーザ機器（ＵＥ）であり、
メモリと、
前記メモリに接続された少なくとも１つのプロセッサであって、
少なくとも１つの所定の送信電力でサウンディングレファレンス信号（ＳＲＳ）を送信するようにとの要求を受信することと、
前記要求に基づいて前記少なくとも１つの所定の送信電力で前記ＳＲＳを送信することと、
を行うように構成された少なくとも１つのプロセッサと、
を備える装置。
［Ｃ１７］
前記少なくとも１つの所定の送信電力は、最大電力にある１つの所定の送信電力である、上記Ｃ１６に記載の装置。
［Ｃ１８］
前記少なくとも１つのプロセッサは、ノードから前記少なくとも１つの所定の送信電力を示す設定を受信するように構成される、上記Ｃ１６に記載の装置。
［Ｃ１９］
前記ＳＲＳは、ノードによって、前記ＵＥと前記ノードとの間の近接検出のために受信される、上記Ｃ１６に記載の装置。
［Ｃ２０］
前記ＳＲＳの周波数ホップのサイズ、帯域幅、コーム、またはサイクリックシフトのうちの少なくとも１つは、固定されている、上記Ｃ１６に記載の装置。
［Ｃ２１］
前記少なくとも１つのプロセッサは、ノードから前記ＳＲＳについての周波数ホップのサイズ、帯域幅、コーム、またはサイクリックシフトのうちの少なくとも１つを示す設定を受信するように構成される、上記Ｃ１６に記載の装置。
［Ｃ２２］
前記要求は、周期的なＳＲＳ送信に関するものであり、前記ＳＲＳは、前記周期的なＳＲＳ送信に関する前記要求に基づいて周期的に前記少なくとも１つの所定の送信電力で送信される、上記Ｃ１６に記載の装置。
［Ｃ２３］
前記少なくとも１つのプロセッサは、
所定の送信電力を用いずに第２のＳＲＳを送信するようにとの要求を受信することと、
前記第２のＳＲＳの送信が前記少なくとも１つの所定の送信電力でのＳＲＳの送信と同じキャリア上の同じサブフレームを占めると決定することと、
前記少なくとも１つの所定の送信電力により前記ＳＲＳを送信するために前記サブフレームにおける前記第２のＳＲＳの送信を差し控えることと
を行うように構成される、上記Ｃ２２に記載の装置。
［Ｃ２４］
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの所定の送信電力で送信される、上記Ｃ１６に記載の装置。
［Ｃ２５］
前記少なくとも１つのプロセッサは、第２のＳＲＳを送信するように構成され、前記少なくとも１つの所定の送信電力での前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、上記Ｃ１６に記載の装置。
［Ｃ２６］
前記少なくとも１つのプロセッサは、第２のＳＲＳを送信するように構成され、前記少なくとも１つの所定の送信電力での前記ＳＲＳは、リソースブロックのセット内でシンボルの第１のコームにおいて送信され、前記第２のＳＲＳは、リソースブロックの前記セット内で前記シンボルの第２のコームにおいて送信される、上記Ｃ１６に記載の装置。
［Ｃ２７］
前記少なくとも１つのプロセッサは、第２のＳＲＳを送信するように構成され、前記少なくとも１つの所定の送信電力での前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、上記Ｃ１６に記載の装置。
［Ｃ２８］
前記ＳＲＳは、前記ＵＥにユニークなＵＥ固有シーケンスで送信される、上記Ｃ１６に記載の装置。
［Ｃ２９］
ワイヤレス通信のための装置であって、当該装置はユーザ機器（ＵＥ）であり、
少なくとも１つの所定の送信電力でサウンディングレファレンス信号（ＳＲＳ）を送信するようにとの要求を受信するための手段と、
前記要求に基づいて前記少なくとも１つの所定の送信電力で前記ＳＲＳを送信するための手段と、
を備える装置。
［Ｃ３０］
コンピュータ可読媒体上に記憶されたユーザ機器（ＵＥ）のためのコンピュータプログラム製品であって、少なくとも１つのプロセッサにおいて実行されたときに該少なくとも１つのプロセッサに
少なくとも１つの所定の送信電力でサウンディングレファレンス信号（ＳＲＳ）を送信するようにとの要求を受信することと、
前記要求に基づいて前記少なくとも１つの所定の送信電力で前記ＳＲＳを送信することと、
を行わせるコードを備える、ユーザ機器（ＵＥ）のためのコンピュータプログラム製品。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
少なくとも１つの固定の送信電力によりサウンディングレファレンス信号（ＳＲＳ）を送信するようにとの要求を受信することと、ここにおいて、前記固定の送信電力は、前記ＵＥによる電力制御の対象ではない、
ＳＲＳ送信のための電力を決定するために前記受信された要求に基づいてＳＲＳの種類を決定することと、
前記ＳＲＳが固定の電力の種類のＳＲＳであると決定されたときに、前記要求に基づいて前記少なくとも１つの固定の送信電力で前記ＳＲＳを送信することと、
第２のＳＲＳを送信するようにとの要求を受信することと、ここにおいて、前記第２のＳＲＳの送信電力は、前記ＵＥによる電力制御の対象である、
前記第２のＳＲＳの種類を決定することと、
前記ＳＲＳが電力制御の対象である種類であると決定されたときに、電力制御アルゴリズムを使用して前記第２のＳＲＳのための送信電力を決定することと、
前記決定された送信電力を使用して前記第２のＳＲＳを送信することと、
を備える方法。
【請求項２】
前記少なくとも１つの固定の送信電力は、最大電力にある１つの固定の送信電力である、請求項１に記載の方法。
【請求項３】
ノードから前記少なくとも１つの固定の送信電力を示す設定を受信することをさらに備える、請求項１に記載の方法。
【請求項４】
前記ＳＲＳを送信するようにとの前記要求は、第１のノードから受信され、前記少なくとも１つの固定の送信電力は、前記ＵＥと第２のノードとの間の近接検出を可能にする、請求項１に記載の方法。
【請求項５】
前記ＳＲＳの周波数ホップのサイズ、帯域幅、コーム、またはサイクリックシフトのうちの少なくとも１つは、固定されている、請求項１に記載の方法。
【請求項６】
ノードから前記ＳＲＳについての周波数ホップのサイズ、帯域幅、コーム、またはサイクリックシフトのうちの少なくとも１つを示す設定を受信することをさらに備える、請求項１に記載の方法。
【請求項７】
前記要求は、周期的なＳＲＳ送信に関するものであり、前記ＳＲＳは、前記周期的なＳＲＳ送信に関する前記要求に基づいて周期的に前記少なくとも１つの固定の送信電力で送信される、請求項１に記載の方法。
【請求項８】
前記第２のＳＲＳの前記送信が前記少なくとも１つの固定の送信電力による前記ＳＲＳの前記送信と同じキャリア上の同じサブフレームを占めると決定することと、
前記少なくとも１つの固定の送信電力により前記ＳＲＳを送信するために前記サブフレームにおける前記第２のＳＲＳの送信を差し控えることと、
をさらに備える、請求項７に記載の方法。
【請求項９】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの固定の送信電力で送信される、請求項１に記載の方法。
【請求項１０】
前記少なくとも１つの固定の送信電力をもつ前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１に記載の方法。
【請求項１１】
前記少なくとも１つの固定の送信電力をもつ前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１に記載の方法。
【請求項１２】
前記少なくとも１つの固定の送信電力をもつ前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１に記載の方法。
【請求項１３】
前記ＳＲＳは、前記ＵＥにユニークなＵＥ固有シーケンスで送信される、請求項１に記載の方法。
【請求項１４】
前記ＵＥは、ＵＥグループに関連付けられ、前記ＳＲＳは、前記ＵＥグループにユニークなグループ固有シーケンスで送信される、請求項１に記載の方法。
【請求項１５】
前記要求は、定められた送信電力から固定の電力オフセットで前記第１のＳＲＳを送信するようにとの要求を含み、前記定められた送信電力は、最大送信電力または前記ＵＥおよびノードの両方にとって既知の送信電力である、請求項１に記載の方法。
【請求項１６】
ワイヤレス通信のための装置であって、前記装置はユーザ機器（ＵＥ）であり、
メモリと、
前記メモリに接続された少なくとも１つのプロセッサであって、
少なくとも１つの固定の送信電力でサウンディングレファレンス信号（ＳＲＳ）を送信するようにとの要求を受信することと、ここにおいて、前記固定の送信電力は、前記ＵＥによる電力制御の対象ではない、
ＳＲＳ送信のための電力を決定するために前記受信された要求に基づいてＳＲＳの種類を決定することと、
前記ＳＲＳが固定の電力の種類のＳＲＳであると決定されたときに、前記要求に基づいて前記少なくとも１つの固定の送信電力で前記ＳＲＳを送信することと、
第２のＳＲＳを送信するようにとの要求を受信することと、ここにおいて、前記第２のＳＲＳの送信電力は、前記ＵＥによる電力制御の対象である、
前記第２のＳＲＳの種類を決定することと、
前記ＳＲＳが電力制御の対象である種類であると決定されたときに、電力制御アルゴリズムを使用して前記第２のＳＲＳのための送信電力を決定することと、
前記決定された送信電力を使用して前記第２のＳＲＳを送信することと、
を行うように構成された少なくとも１つのプロセッサと、
を備える装置。
【請求項１７】
前記少なくとも１つの固定の送信電力は、最大電力にある１つの固定の送信電力である、請求項１６に記載の装置。
【請求項１８】
前記少なくとも１つのプロセッサは、ノードから前記少なくとも１つの固定の送信電力を示す設定を受信するように構成される、請求項１６に記載の装置。
【請求項１９】
前記ＳＲＳを送信するようにとの前記要求は、第１のノードから受信され、前記少なくとも１つの固定の送信電力は、前記ＵＥと第２のノードとの間の近接検出を可能にする、請求項１６に記載の装置。
【請求項２０】
前記ＳＲＳの周波数ホップのサイズ、帯域幅、コーム、またはサイクリックシフトのうちの少なくとも１つは、固定されている、請求項１６に記載の装置。
【請求項２１】
前記少なくとも１つのプロセッサは、ノードから前記ＳＲＳについての周波数ホップのサイズ、帯域幅、コーム、またはサイクリックシフトのうちの少なくとも１つを示す設定を受信するように構成される、請求項１６に記載の装置。
【請求項２２】
前記要求は、周期的なＳＲＳ送信に関するものであり、前記ＳＲＳは、前記周期的なＳＲＳ送信に関する前記要求に基づいて周期的に前記少なくとも１つの固定の送信電力で送信される、請求項１６に記載の装置。
【請求項２３】
前記少なくとも１つのプロセッサは、
前記第２のＳＲＳの前記送信が前記少なくとも１つの固定の送信電力での前記ＳＲＳの前記送信と同じキャリア上の同じサブフレームを占めると決定することと、
前記少なくとも１つの固定の送信電力により前記ＳＲＳを送信するために前記サブフレームにおける前記第２のＳＲＳの送信を差し控えることと
を行うように構成される、請求項２２に記載の装置。
【請求項２４】
前記要求は、制御チャネルを通じた非周期的なＳＲＳ送信に関するものであり、前記ＳＲＳは、前記制御チャネルにおける前記非周期的なＳＲＳ送信に関する前記要求に基づいて前記少なくとも１つの固定の送信電力で送信される、請求項１６に記載の装置。
【請求項２５】
前記少なくとも１つの固定の送信電力での前記ＳＲＳは、サブフレームのセットのうちのサブフレームの第１のサブセットにおいて送信され、前記第２のＳＲＳは、サブフレームの前記セットのうちのサブフレームの第２のサブセットにおいて送信され、サブフレームの前記第１のサブセットは、サブフレームの前記第２のサブセットとは異なる、請求項１６に記載の装置。
【請求項２６】
前記少なくとも１つの固定の送信電力での前記ＳＲＳは、リソースブロックのセット内でシンボルの第１のコームにおいて送信され、前記第２のＳＲＳは、リソースブロックの前記セット内で前記シンボルの第２のコームにおいて送信される、請求項１６に記載の装置。
【請求項２７】
前記少なくとも１つの固定の送信電力での前記ＳＲＳは、リソースブロックの第１のセット内でシンボルにおいて送信され、前記第２のＳＲＳは、リソースブロックの前記第１のセットとは異なるリソースブロックの第２のセット内で前記シンボルにおいて送信される、請求項１６に記載の装置。
【請求項２８】
前記ＳＲＳは、前記ＵＥにユニークなＵＥ固有シーケンスで送信される、請求項１６に記載の装置。
【請求項２９】
ワイヤレス通信のための装置であって、前記装置はユーザ機器（ＵＥ）であり、
少なくとも１つの固定の送信電力でサウンディングレファレンス信号（ＳＲＳ）を送信するようにとの要求を受信するための手段と、ここにおいて、前記固定の送信電力は、前記ＵＥによる電力制御の対象ではない、
ＳＲＳ送信のための電力を決定するために前記受信された要求に基づいてＳＲＳの種類を決定するための手段と、
前記ＳＲＳが固定の電力の種類のＳＲＳであると決定されたときに、前記要求に基づいて前記少なくとも１つの固定の送信電力で前記ＳＲＳを送信するための手段と、
前記受信するための手段が第２のＳＲＳを送信するようにとの要求を受信するときに、電力制御アルゴリズムを使用して前記第２のＳＲＳのための送信電力を決定するための手段と、ここにおいて、前記第２のＳＲＳの送信電力は、前記ＵＥによる電力制御の対象であり、前記決定するための手段は、前記第２のＳＲＳの種類が電力制御の対象である種類であると決定する、
を備え、前記送信するための手段は、前記決定された送信電力を使用して前記第２のＳＲＳを送信する、装置。
【請求項３０】
ユーザ機器（ＵＥ）のための非一時的コンピュータ可読媒体であって、
少なくとも１つの固定の送信電力でサウンディングレファレンス信号（ＳＲＳ）を送信するようにとの要求を受信することと、ここにおいて、前記固定の送信電力は、前記ＵＥによる電力制御の対象ではない、
ＳＲＳ送信のための電力を決定するために前記受信された要求に基づいてＳＲＳの種類を決定することと、
前記ＳＲＳが固定の電力の種類のＳＲＳであると決定されたときに、前記要求に基づいて前記少なくとも１つの固定の送信電力で前記ＳＲＳを送信することと、
第２のＳＲＳを送信するようにとの要求を受信することと、ここにおいて、前記第２のＳＲＳの送信電力は、前記ＵＥによる電力制御の対象である、
前記第２のＳＲＳの種類を決定することと、
前記ＳＲＳが電力制御の対象である種類であると決定されたときに、電力制御アルゴリズムを使用して前記第２のＳＲＳのための送信電力を決定することと、
前記決定された送信電力を使用して前記第２のＳＲＳを送信することと、
のためのコードを備える、ユーザ機器（ＵＥ）のための非一時的コンピュータ可読媒体。
【請求項３１】
前記ＵＥは、固定の電力の種類のＳＲＳが送信されるべき少なくとも１つの固定の送信電力のあらかじめ定められた構成を備える、請求項１に記載の方法。
【国際調査報告】
2016536847.tif 000014
2016536847.tif 000015
2016536847.tif 000016